(57)【要約】  本開示は、サービス実現方法、ネットワークユニット及び端末を提供する。端末に応用されるサービス実現方法において、第１ネットワークから第２ネットワークへの操作の指示情報を取得することと、第１ネットワークから第２ネットワークへの操作の指示情報に基づいて、関連サービスの操作を決定することとを含む。
2021520127.tif 000002
【特許請求の範囲】
【請求項１】
第１ネットワークに位置する第１ネットワークユニットに応用されるサービス実現方法において、
第１ネットワークから第２ネットワークへの操作の関連情報を取得することと、
前記第１ネットワークから第２ネットワークへの操作の関連情報に基づいて、第１ネットワークから第２ネットワークへの操作の指示情報を決定し、及び／又は、関連サービス  がサポートされるか否かの指示情報を決定することと、
を含む、サービス実現方法。
【請求項２】
前記第１ネットワークユニットは、
端末と、第１ネットワークのコアネットワーク・ネットワークユニットと、第１ネットワークの無線アクセスネットワーク・ネットワークユニットと、第３ネットワークのネットワークユニットと、第２ネットワークのネットワークユニットとの少なくとも１つから、
前記第１ネットワークから第２ネットワークへの操作の関連情報を取得する、請求項１に記載のサービス実現方法。
【請求項３】
前記第１ネットワークから第２ネットワークへの操作の関連情報は、
第１ネットワークにおいて、第１ネットワークと第２ネットワークの操作をサポートする関連インターフェースが設定されているか否か、
第１ネットワークにおいて設定された第１ネットワークから第２ネットワークへの操作の関連インターフェース方式、
端末の第２ネットワーク能力情報、
前記端末が第１ネットワークから第２ネットワークへの操作をサポートするか否かの情報、
第１ネットワークのネットワークユニットが第１ネットワークから第２ネットワークへの操作をサポートするか否かの情報、
前記端末が第１ネットワークから第２ネットワークへの操作を許可するか否か、
前記端末のネットワークプロトコルマルチメディアサブシステムＩＭＳセッション遷移番号、
前記端末のＩＭＳセッション遷移番号が存在するか否かの情報、
前記端末の移動局国際加入者識別子、
前記端末の移動局国際加入者識別子が存在するか否か、
前記端末の第１ネットワークにおける端末ＩＤが第２ネットワークにおける端末ＩＤにマッピング可能であるか否か、
前記端末の契約永久識別子ＳＵＰＩのタイプが国際移動加入者識別子であるか否か、
前記端末がシングル登録モードであるか、デュアル登録モードであるか、
前記端末がシングルラジオ又はデュアルラジオであるか否か、
前記端末が音声中心であるか、データ中心であるか、
通信事業者ポリシー、
通信事業者が、第１ネットワークから第２ネットワークへの操作によって前記関連サービスをサポートするように設定しているか否か、
通信事業者が、第１ネットワークから第２ネットワークへの操作によって前記関連サービスの連続性をサポートするように設定しているか否か、
無線条件、
前記端末の無線条件が第１ネットワークから第２ネットワークへの操作を満たすか否か、
前記関連サービスの情報、
進行中の前記関連サービスが存在するか否か、
前記関連サービスのための要求を受信したか否か、
の少なくとも１つを含む、請求項１に記載のサービス実現方法。
【請求項４】
前記第１ネットワークは、５Ｇネットワークであり、
前記第２ネットワークは、３Ｇネットワークであり、
前記関連サービスは、音声サービス、緊急サービスの１つを含む、請求項１に記載のサービス実現方法。
【請求項５】
前記第１ネットワークと第２ネットワークの操作の関連インターフェース方式は、
第１ネットワークが、直接インターフェースを介して第２ネットワークと操作すること、
第１ネットワークが、第３ネットワークと相互操作し、第３ネットワークと第２ネットワークとの相互操作によって、第１ネットワークと第２ネットワークの操作を実現すること、
の少なくとも１つを含む、請求項３に記載のサービス実現方法。
【請求項６】
前記第１ネットワークから第２ネットワークへの操作の指示情報は、
第１ネットワークから第２ネットワークへの操作が可能か否かの指示情報、
第１ネットワークから第２ネットワークへの回線交換ＣＳ切り替えが可能か否かの指示情報、
サービスの連続性が保持できるか否かの指示情報、
の少なくとも１つを含む、請求項１に記載のサービス実現方法。
【請求項７】
前記第１ネットワークユニットは、第１ネットワークから第２ネットワークへの操作の指示情報を、端末及び／又は無線アクセスネットワークのネットワークユニットに送信する、請求項１に記載のサービス実現方法。
【請求項８】
前記の前記第１ネットワークから第２ネットワークへの操作の関連情報に基づいて、関連サービスがサポートされるか否かの指示情報を決定することは、
第１ネットワークから第２ネットワークへの操作が可能か否か、第１ネットワークから第２ネットワークへのＣＳ切り替えが可能か否か、及び／又は、前記関連サービスの連続性が保証されるか否かの条件を満たすかを、前記第１ネットワークから第２ネットワークへの操作の関連情報に基づいて判断することと、
判断結果に基づいて、関連サービスがサポートされるか否かの指示情報を決定することと、
を含む、請求項１に記載のサービス実現方法。
【請求項９】
第１ネットワークから第２ネットワークへの操作が可能であること、
第１ネットワークから第２ネットワークへの切り替えが可能であること、
第１ネットワークから第２ネットワークへのＣＳ切り替えが可能であること、
前記関連サービスの連続性が保持できること、
の少なくとも１つの条件を満たした場合、関連サービスがサポートされるか否かの指示情報で、前記関連サービスをサポートすることを指示する、請求項１又は８に記載のサービス実現方法。
【請求項１０】
前記の関連サービスがサポートされるか否かを決定する指示情報は、
ＩＭＳ音声サービスをサポートするか否かの指示情報、
パケット交換ＰＳによるＩＭＳ音声サービスをサポートするか否かの指示情報、
３ＧＰＰによるＰＳドメインセッション方式にアクセスするＩＭＳ音声サービス（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ  ｏｖｅｒ  ３ＧＰＰ）をサポートするか否かの指示情報、
ＣＳによるＩＭＳ音声サービスをサポートするか否かの指示情報、
緊急サービスをサポートするか否かの指示情報、
緊急サービスフォールバックをサポートするか否かの指示情報、
の少なくとも１つを含む、請求項１に記載のサービス実現方法。
【請求項１１】
前記５Ｇネットワークは、ＮＧ  ＲＡＮを含み、及び／又は、
前記３Ｇネットワークは、ＵＴＲＡＮを含む、請求項４に記載のサービス実現方法。
【請求項１２】
第１ネットワークから第２ネットワークへの操作は、第１ネットワークから第２ネットワークへのＣＳ切り替えに関する操作を含む、請求項１に記載のサービス実現方法。
【請求項１３】
第１ネットワークに位置する第２ネットワークユニットに応用されるサービス実現方法において、
第１ネットワークから第２ネットワークへの操作の関連情報、第１ネットワークから第２ネットワークへの操作の指示情報の少なくとも１つを含む情報を取得することと、
取得した前記情報に基づいて、端末に対し第１ネットワークから第２ネットワークへの操作を行うことと、
を含む、サービス実現方法。
【請求項１４】
前記第１ネットワークから第２ネットワークへの操作の関連情報は、
第１ネットワークにおいて、第１ネットワークと第２ネットワークの操作をサポートする関連インターフェースが設定されているか否か、
第１ネットワークにおいて設定された第１ネットワークから第２ネットワークへの操作の関連インターフェース方式、
前記端末の第２ネットワーク能力情報、
前記端末が第１ネットワークから第２ネットワークへの操作をサポートするか否かの情報、
第１ネットワークのネットワークユニットが第１ネットワークから第２ネットワークへの操作をサポートするか否かの情報、
前記端末が第１ネットワークから第２ネットワークへの操作を許可するか否か、
前記端末のＩＭＳセッション遷移番号、
端末のＩＭＳセッション遷移番号が存在するか否かの情報、
前記端末の移動局国際加入者識別子、
前記端末の移動局国際加入者識別子が存在するか否か、
前記端末の第１ネットワークにおける端末ＩＤが第２ネットワークにおける端末ＩＤにマッピング可能であるか否か、
前記端末の契約永久識別子ＳＵＰＩのタイプが国際移動加入者識別子であるか否か、
前記端末がシングル登録モードであるか、デュアル登録モードであるか、
前記端末がシングルラジオ又はデュアルラジオであるか否か、
前記端末が音声中心であるか、データ中心であるか、
通信事業者ポリシー、
通信事業者が、第１ネットワークから第２ネットワークへの操作によって前記関連サービスをサポートするように設定しているか否か、
通信事業者が、第１ネットワークから第２ネットワークへの操作によって前記関連サービスの連続性をサポートするように設定しているか否か、
無線条件、
前記端末の無線条件が第１ネットワークから第２ネットワークへの操作を満たすか否か、
前記関連サービスの情報、
進行中の前記関連サービスが存在するか否か、
前記関連サービスのための要求を受信したか否か、
の少なくとも１つを含む、請求項１３に記載のサービス実現方法。
【請求項１５】
前記第１ネットワークから第２ネットワークへの操作は、
第１ネットワークから第２ネットワークへの切り替えに関する操作、
第１ネットワークから第２ネットワークへのＣＳ切り替えに関する操作、
前記関連サービスの連続性の保持、
の少なくとも１つを含む、請求項１３に記載のサービス実現方法。
【請求項１６】
前記第１ネットワークから第２ネットワークへの切り替えに関する操作は、
第１ネットワークから第２ネットワークへの切り替えプロセスを開始すること、
第１ネットワークから第２ネットワークへのＣＳ切り替えプロセスを開始すること、
第１ネットワークから第２ネットワークへのＣＳ切り替え指示を送信すること、
第２ネットワークへの端末のリダイレクト、
の少なくとも１つを含む、請求項１５に記載のサービス実現方法。
【請求項１７】
前記の取得した前記情報に基づいて、端末に対し第１ネットワークから第２ネットワークへの操作を行うことは、
前記情報が、第１ネットワークから第２ネットワークへの操作が可能であり、又は前記関連サービスの連続性が保持できることを示す場合、第１ネットワークから第２ネットワークへの操作を実行すること、
前記情報が、第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、前記関連サービスが存在し、第１ネットワークから切り替える切り替えイベントが発生し、且つ第１ネットワークから第２ネットワークへの操作が可能であり、又は前記関連サービスの連続性が保持できることを示す場合、第１ネットワークから第２ネットワークへの操作を実行すること、
前記情報が、前記関連サービスが存在し、第１ネットワークから切り替える切り替えイベントが発生し、且つ第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、第１ネットワークから第２ネットワークへのＣＳ切り替え指示の受信を示す場合、第１ネットワークから第２ネットワークへのＣＳ切り替え操作を開始すること、
前記情報が、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
前記情報が、前記関連サービスの第１ネットワークから切り替える切り替えイベントが発生せず、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
の少なくとも１つを含む、請求項１３に記載のサービス実現方法。
【請求項１８】
前記第１ネットワークは、５Ｇネットワークであり、
前記第２ネットワークは、３Ｇネットワークであり、
前記関連サービスは、音声サービスと、緊急サービスとの１つを含む、請求項１３に記載のサービス実現方法。
【請求項１９】
前記５Ｇネットワークは、ＮＧ  ＲＡＮを含み、及び／又は、
前記３Ｇネットワークは、ＵＴＲＡＮを含む、請求項１８に記載のサービス実現方法。
【請求項２０】
端末に応用されるサービス実現方法において、
第１ネットワークから第２ネットワークへの操作の指示情報を取得することと、
前記第１ネットワークから第２ネットワークへの操作の指示情報に基づいて、関連サービスの操作を決定することと、
を含む、サービス実現方法。
【請求項２１】
前記の第１ネットワークから第２ネットワークへの操作の指示情報を取得することの前には、
第１ネットワークにアクセスするときに、第１ネットワークから第２ネットワークへの操作の関連情報を送信することを更に含む、請求項２０に記載のサービス実現方法。
【請求項２２】
前記関連サービスの操作は、
アクセスドメインを選択すること、
第１ネットワークに常駐するか否かを決定すること、
前記関連サービスの要求を第１ネットワークにおいて開始又は終了するか否かを決定すること、
の少なくとも１つを含む、請求項２０に記載のサービス実現方法。
【請求項２３】
前記指示情報が、第１ネットワークから第２ネットワークへの操作が可能であり、又は前記関連サービスの連続性が保持できることを示す場合、前記の前記関連サービスの操作を決定することは、
第１ネットワークにおいて前記関連サービスを開始又は終了すること、
前記関連サービスに関するプロトコルデータユニットＰＤＵセッションの確立を第１ネットワークにおいて開始すること、
前記関連サービスを指示するサービス要求を第１ネットワークにおいて開始すること、
第１ネットワークに常駐することを選択すること、
の少なくとも１つを含み、
前記指示情報が、第１ネットワークから第２ネットワークへの操作が不可能であり、又はサービスの連続性が保持できないことを示す場合、前記のサービスの操作を決定することは、
第１ネットワークにおいて前記関連サービスを開始又は終了しないこと、
前記関連サービスに関するＰＤＵセッションの確立を第１ネットワークにおいて開始しないこと、
前記関連サービスを指示するサービス要求を第１ネットワークにおいて開始しないこと、
第１ネットワークに常駐しないこと、
の少なくとも１つを含む、請求項２０に記載のサービス実現方法。
【請求項２４】
前記第１ネットワークは、５Ｇネットワークであり、
前記第２ネットワークは、３Ｇネットワークであり、
前記関連サービスは、音声サービスと、緊急サービスとの１つを含む、請求項２０に記載のサービス実現方法。
【請求項２５】
前記第１ネットワークから第２ネットワークへの操作の関連情報は、
端末の第２ネットワーク能力情報、
前記端末が第１ネットワークから第２ネットワークへの操作をサポートするか否かの情報、
第１ネットワークのネットワークユニットが第１ネットワークから第２ネットワークへの操作をサポートするか否かの情報、
前記端末のネットワークプロトコルマルチメディアサブシステムＩＭＳセッション遷移番号、
前記端末の移動局国際加入者識別子、
前記端末がシングル登録モードであるか、デュアル登録モードであるか、
前記端末がシングルラジオ又はデュアルラジオであるか否か、
前記端末が音声中心であるか、データ中心であるか、
の少なくとも１つを含む、請求項２１に記載のサービス実現方法。
【請求項２６】
前記５Ｇネットワークは、ＮＧ  ＲＡＮを含み、及び／又は、
前記３Ｇネットワークは、ＵＴＲＡＮを含む、請求項２４に記載のサービス実現方法。
【請求項２７】
第１ネットワークから第２ネットワークへの操作は、第１ネットワークから第２ネットワークへのＣＳ切り替えに関する操作を含む、請求項２０に記載のサービス実現方法。
【請求項２８】
第１ネットワークに位置する第１ネットワークユニットであって、
第１ネットワークから第２ネットワークへの操作の関連情報を取得する取得モジュールと、
前記第１ネットワークから第２ネットワークへの操作の関連情報に基づいて、第１ネットワークから第２ネットワークへの操作の指示情報を決定し、及び／又は、関連サービスがサポートされるか否かの指示情報を決定する決定モジュールと、
を含む、第１ネットワークユニット。
【請求項２９】
第１ネットワークに位置する第２ネットワークユニットであって、
第１ネットワークから第２ネットワークへの操作の関連情報、第１ネットワークから第２ネットワークへの操作の指示情報の少なくとも１つを含む情報を取得する取得モジュールと、
取得した前記情報に基づいて、端末に対し第１ネットワークから第２ネットワークへの操作を行う操作モジュールと、
を含む、第２ネットワークユニット。
【請求項３０】
第１ネットワークから第２ネットワークへの操作の指示情報を取得する取得モジュールと、
前記第１ネットワークから第２ネットワークへの操作の指示情報に基づいて、関連サービスの操作を決定する決定モジュールと、
を含む、端末。
【請求項３１】
プロセッサと、メモリと、前記メモリに格納されて前記プロセッサで操作可能なプログラムを含む第１ネットワークユニットであって、
前記プログラムが前記プロセッサによって実行されると、請求項１〜１２のいずれか一項に記載のサービス実現方法が実現される、第１ネットワークユニット。
【請求項３２】
プロセッサと、メモリと、前記メモリに格納されて前記プロセッサで操作可能なプログラムを含む第２ネットワークユニットであって、
前記プログラムが前記プロセッサによって実行されると、請求項１３〜１９のいずれか一項に記載のサービス実現方法が実現される、第２ネットワークユニット。
【請求項３３】
プロセッサと、メモリと、前記メモリに格納されて前記プロセッサで操作可能なプログラムを含む端末であって、
前記プログラムが前記プロセッサによって実行されると、請求項２０〜２７のいずれか一項に記載のサービス実現方法が実現される、端末。
【請求項３４】
プログラムが格納されているコンピュータ読み取り可能な記憶媒体であって、
前記プログラムがプロセッサによって実行されると、請求項１〜２７のいずれか一項に記載のサービス実現方法が実現される、コンピュータ読み取り可能な記憶媒体。
【発明の詳細な説明】
【技術分野】
【０００１】
本願は、２０１８年４月４日に中国特許庁に提出された中国特許出願２０１８１０３０２３５０．１の優先権を主張し、その全ての内容が援用によりここに取り込まれる。
【０００２】
本開示の実施例は、通信技術分野に係り、特にサービス実現方法、ネットワークユニット及び端末に係る。
【背景技術】
【０００３】
通信事業者が５Ｇ（５ｔｈ  Ｇｅｎｅｒａｔｉｏｎ）ネットワークを展開する初期段階では、フルカバレッジではなくホットスポットカバレッジである。一部の通信事業者は、同時にフルカバレッジの３Ｇ（３ｒｄ  Ｇｅｎｅｒａｔｉｏｎ）ネットワークを有する。３Ｇネットワークでは、音声サービスをサポートし、例えば回線交換ドメインによってＩＭＳ（ＩＰ  Ｍｕｌｔｉｍｅｄｉａ  Ｓｕｂｓｙｓｔｅｍ）を接続して音声サービスを実現する。
【０００４】
５Ｇネットワークにおいて音声サービスがサポートされる場合、端末は、直接５Ｇネットワークにおいて音声サービスを開始したり終了したりすることができる。音声サービス進行中の端末が５Ｇネットワークから出て、且つ周辺エリアが３Ｇセルしかない場合、５Ｇと３Ｇとの間の操作がサポートされないため、音声サービスは、中断するしかない。
【０００５】
５Ｇネットワークにおいて音声サービスがサポートされない場合、５Ｇネットワークに接続又は常駐する端末が音声サービスを必要とする場合（例えば、音声サービスの開始又は終了時）、５Ｇネットワークにおいて音声サービスを開始することができない。
【０００６】
将来の他の通信ネットワークについても、同様に上記問題が存在する。
【０００７】
従って、通信ネットワークのフルカバレッジが実現されていない場合に、どのようにサービスの連続性を実現し、端末のアクセスドメインを決定するかは、現在の解決すべき技術的課題である。
【発明の概要】
【発明が解決しようとする課題】
【０００８】
本開示の実施例は、通信ネットワークのフルカバレッジが実現されていない場合に、どのようにサービスの連続性を実現し、端末のアクセスドメインを決定するかという問題を解決するために、サービス実現方法、ネットワークユニット及び端末を提供する。
【課題を解決するための手段】
【０００９】
第１態様として、本開示の実施例は、サービス実現方法を提供する。
第１ネットワークに位置する第１ネットワークユニットに応用されるサービス実現方法において、
第１ネットワークから第２ネットワークへの操作の関連情報を取得することと、
前記第１ネットワークから第２ネットワークへの操作の関連情報に基づいて、第１ネットワークから第２ネットワークへの操作の指示情報を決定し、及び／又は、関連サービスがサポートされるか否かの指示情報を決定することと、
を含む。
【００１０】
第２態様として、本開示の実施例は、サービス実現方法を提供する。
第１ネットワークに位置する第２ネットワークユニットに応用されるサービス実現方法において、
第１ネットワークから第２ネットワークへの操作の関連情報、第１ネットワークから第２ネットワークへの操作の指示情報の少なくとも１つを含む情報を取得することと、
取得した前記情報に基づいて、端末に対し第１ネットワークから第２ネットワークへの操作を行うことと、
を含む。
【００１１】
第３態様として、本開示の実施例は、サービス実現方法を提供する。
端末に応用されるサービス実現方法において、
第１ネットワークから第２ネットワークへの操作の指示情報を取得することと、
前記第１ネットワークから第２ネットワークへの操作の指示情報に基づいて、関連サービスの操作を決定することと、
を含む。
【００１２】
第４態様として、本開示の実施例は、第１ネットワークユニットを提供する。
第１ネットワークに位置する第１ネットワークユニットであって、
第１ネットワークから第２ネットワークへの操作の関連情報を取得する取得モジュールと、
前記第１ネットワークから第２ネットワークへの操作の関連情報に基づいて、第１ネットワークから第２ネットワークへの操作の指示情報を決定し、及び／又は、関連サービスがサポートされるか否かの指示情報を決定する決定モジュールと、
を含む。
【００１３】
第５態様として、本開示の実施例は、第２ネットワークユニットを提供する。
第１ネットワークに位置する第２ネットワークユニットであって、
第１ネットワークから第２ネットワークへの操作の関連情報、第１ネットワークから第２ネットワークへの操作の指示情報の少なくとも１つを含む情報を取得する取得モジュールと、
取得した前記情報に基づいて、端末に対し第１ネットワークから第２ネットワークへの操作を行う操作モジュールと、
を含む。
【００１４】
第６態様として、本開示の実施例は、端末を提供する。
端末であって、
第１ネットワークから第２ネットワークへの操作の指示情報を取得する取得モジュールと、
前記第１ネットワークから第２ネットワークへの操作の指示情報に基づいて、関連サービスの操作を決定する決定モジュールと、
を含む。
【００１５】
第７態様として、本開示の実施例は、第１ネットワークユニットを提供する。
プロセッサと、メモリと、前記メモリに格納されて前記プロセッサで操作可能なプログラムを含む第１ネットワークユニットであって、
前記プログラムが前記プロセッサによって実行されると、上記の第１ネットワークユニットに応用されるサービス実現方法が実現される。
【００１６】
第８態様として、本開示の実施例は、第２ネットワークユニットを提供する。
プロセッサと、メモリと、前記メモリに格納されて前記プロセッサで操作可能なプログラムを含む第２ネットワークユニットであって、
前記プログラムが前記プロセッサによって実行されると、上記の第２ネットワークユニットに応用されるサービス実現方法が実現される。
【００１７】
第９態様として、本開示の実施例は、端末を提供する。
プロセッサと、メモリと、前記メモリに格納されて前記プロセッサで操作可能なプログラムを含む端末であって、
前記プログラムが前記プロセッサによって実行されると、上記の端末に応用されるサービス実現方法が実現される。
【００１８】
第１０態様として、本開示の実施例は、記憶媒体を提供する。
プログラムが格納されているコンピュータ読み取り可能な記憶媒体であって、
前記プログラムがプロセッサによって実行されると、上記サービス実現方法が実現される。
【発明の効果】
【００１９】
本開示の実施例において、第１ネットワークのフルカバレッジが実現されていない場合に、どのようにサービスの連続性を実現し、端末のアクセスドメインを決定するかを明確化している。
【図面の簡単な説明】
【００２０】
【図１】本開示の実施例に係る第１ネットワークユニットに応用されるサービス実現方法のフローチャートである。
【図２】本開示の実施例に係る第２ネットワークユニットに応用されるサービス実現方法のフローチャートである。
【図３】本開示の実施例に係る端末に応用されるサービス実現方法のフローチャートである。
【図４】本開示の別の実施例に係る端末に応用されるサービス実現方法のフローチャートである。
【図５】本開示の実施例１に係るサービス実現方法のフローチャートである。
【図６】本開示の実施例２に係るサービス実現方法のフローチャートである。
【図７】本開示の実施例３に係るサービス実現方法のフローチャートである。
【図８】本開示の実施例４に係るサービス実現方法のフローチャートである。
【図９】本開示の実施例に係る第１ネットワークユニットの構造図である。
【図１０】本開示の実施例に係る第２ネットワークユニットの構造図である。
【図１１】本開示の１つの実施例に係る端末の構造図である。
【図１２】本開示の別の実施例に係る端末の構造図である。
【発明を実施するための形態】
【００２１】
本開示の実施例において、ネットワークユニットは、任意のネットワーク側機器又はネットワーク機能である。例えば、ネットワークユニットは、無線アクセスネットワーク・ネットワークユニット又はコアネットワーク・ネットワークユニットである。
【００２２】
本開示の実施例において、コアネットワーク・ネットワークユニットは、コアネットワーク機器、コアネットワークノード、コアネットワーク機能、コアネットワーク・ネットワークユニット、ＭＭＥ（Ｍｏｂｉｌｉｔｙ  Ｍａｎａｇｅｍｅｎｔ  Ｅｎｔｉｔｙ）、ＡＭＦ（Ａｃｃｅｓｓ  Ｍａｎａｇｅｍｅｎｔ  Ｆｕｎｃｔｉｏｎ）、ＳＭＦ（Ｓｅｓｓｉｏｎ  Ｍａｎａｇｅｍｅｎｔ  Ｆｕｎｃｔｉｏｎ）、ＵＰＦ（Ｕｓｅｒ  Ｐｌａｎｅ  Ｆｕｎｃｔｉｏｎ）、ＳＧＷ（ｓｅｒｖｉｎｇ  ＧＷ）、ＰＤＮゲートウェイ（ＰＤＮ  Ｇａｔｅ  Ｗａｙ）、ＰＣＦ（Ｐｏｌｉｃｙ  Ｃｏｎｔｒｏｌ  Ｆｕｎｃｔｉｏｎ）、ＰＣＲＦ（Ｐｏｌｉｃｙ  ａｎｄ  Ｃｈａｒｇｉｎｇ  Ｒｕｌｅｓ  Ｆｕｎｃｔｉｏｎ）、ＳＧＳＮ（Ｓｅｒｖｉｎｇ  ＧＰＲＳ  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）のうちの少なくとも１つを含むが、それらに限定されない。
【００２３】
本開示の実施例において、無線アクセスネットワーク・ネットワークユニットは、無線アクセスネットワーク機器、無線アクセスネットワークノード、無線アクセスネットワーク機能、無線アクセスネットワーク・ネットワークユニット、３ＧＰＰ無線アクセスネットワーク、非３ＧＰＰ無線アクセスネットワーク、ＣＵ（Ｃｅｎｔｒａｌｉｚｅｄ  Ｕｎｉｔ）、ＤＵ（Ｄｉｓｔｒｉｂｕｔｅｄ  Ｕｎｉｔ）、基地局、ｅＮＢ（ｅｖｏｌｖｅｄ  Ｎｏｄｅ  Ｂ）、５Ｇ基地局（ｇＮＢ）、ＲＮＣ（Ｒａｄｉｏ  Ｎｅｔｗｏｒｋ  Ｃｏｎｔｒｏｌｌｅｒ）、基地局（ＮｏｄｅＢ）、Ｎ３ＩＷＦ（Ｎｏｎ−３  ＧＰＰ  Ｉｎｔｅｒ  Ｗｏｒｋｉｎｇ  Ｆｕｎｃｔｉｏｎ）、ＡＣ（Ａｃｃｅｓｓ  Ｃｏｎｔｒｏｌｌｅｒ）ノード、ＡＰ（Ａｃｃｅｓｓ  Ｐｏｉｎｔ）機器又はＷＬＡＮ（Ｗｉｒｅｌｅｓｓ  Ｌｏｃａｌ  Ａｒｅａ  Ｎｅｔｗｏｒｋｓ）ノードのうちの少なくとも１つを含むが、それらに限定されない。
【００２４】
基地局は、ＧＳＭシステム（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）におけるＢＴＳ（Ｂａｓｅ  Ｔｒａｎｓｃｅｉｖｅｒ  Ｓｔａｔｉｏｎ）であってもよく、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）及び５Ｇ基地局（ｇＮＢ）であってもよいが、本開示の実施例では限定されない。
【００２５】
本開示において、ｅＬＴＥ（ｅｖｏｌｖｅｄ  ＬＴＥ）は、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が５ＧＣ（５Ｇ  Ｃｏｒｅ）に直接接続する方式である。ＥＰＳ（Ｅｖｏｌｖｅｄ  Ｐａｃｋｅｔ  Ｓｙｓｔｅｍ）は、ＬＴＥと呼ばれることもある。
【００２６】
本開示において、緊急サービスは、緊急音声サービス、緊急ＩＭＳ音声サービスのいずれかとも称される。緊急サービスがサポートされるか否かの指示は、緊急サービスサポート指示（Ｅｍｅｒｇｅｎｃｙ  Ｓｅｒｖｉｃｅｓ  Ｓｕｐｐｏｒｔ  ｉｎｄｉｃａｔｏｒ）、フォールバック方式を採用した緊急サービスサポート指示（Ｅｍｅｒｇｅｎｃｙ  Ｓｅｒｖｉｃｅｓ  Ｆａｌｌｂａｃｋ）の少なくとも１つを含むが、それに限定されない。
【００２７】
本開示において、音声サービスは、ＰＳ（Ｐａｃｋｅｔ  Ｓｗｉｔｃｈ）ドメインセッション方式によるＩＭＳ音声サービスとも称される。音声サービスがサポートされるか否かの指示は、ＩＭＳ音声サービスサポート指示、ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ、ＣＳ（Ｃｉｒｃｕｉｔ  Ｓｗｉｔｃｈ）ドメインによるＩＭＳ音声サービスサポート指示、３ＧＰＰによるＰＳドメインセッション方式にアクセスするＩＭＳ音声サービス（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ  ｏｖｅｒ  ３ＧＰＰ）のうちの少なくとも１つを含むが、それらに限定されない。
【００２８】
本開示において、音声サービスは、緊急音声サービスを含む。
【００２９】
本開示において、リダイレクト（Ｒｅｄｉｒｅｃｔｉｏｎ）は、無線アクセスネットワークにおいてＵＥとネットワークとの接続を解放し、リダイレクト周波数ポイントを指示する方式を指す。
【００３０】
本開示において、第１ネットワークから第２ネットワークへのＣＳ切り替えは、ＰＳ−ＣＳ  ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）切り替え、第１ネットワークＳＲＶＣＣ、第１ネットワーク−第２ネットワークＳＲＶＣＣ、第１ネットワークＳＲＶＣＣ切り替え、ＰＳ−ＣＳドメイン切り替え、第１ネットワークから第２ネットワークへのＰＳ−ＣＳ切り替え、第１ネットワークから第２ネットワークへの音声サービス連続性のサポート、第１ネットワークから第２ネットワークへの単無線サポート音声サービス連続性、第１ネットワークから第２ネットワークへのフォールバックなどのいずれかとも称されるが、それらに限定されない。標準組織は、他の名称でその名称付けをすることができるが、本開示は、名称付けによって影響されない。
【００３１】
本開示において、第１ネットワークから第２ネットワークへの操作の切り替えは、第１ネットワークと第２ネットワークとの相互操作、第１ネットワークから第２ネットワークへのフォールバックのいずれかとも称されるが、それらに限定されない。
【００３２】
本開示において、５Ｇネットワークから３ＧネットワークへのＣＳ切り替えは、ＰＳ−ＣＳ  ＳＲＶＣＣ切り替え、５Ｇ  ＳＲＶＣＣ、５Ｇ−３Ｇ  ＳＲＶＣＣ、５Ｇ  ＳＲＶＣＣ切り替え、ＰＳ−ＣＳドメイン切り替え、５Ｇネットワークから３ＧネットワークへのＰＳ−ＣＳ切り替え、５Ｇネットワークから３Ｇネットワークへの音声サービス連続性サポート、５Ｇネットワークから３Ｇネットワークへのフォールバック、５Ｇネットワークから３Ｇネットワークへの操作、５Ｇネットワークと３Ｇネットワークとの相互操作のいずれかとも呼ばれるが、それらに限定されない。
【００３３】
本開示において、サービスを開始することは、コール側としてサービスを開始することを示し、サービスを終了することは、コールされる側としてサービスを受信することを示す。
【００３４】
５Ｇネットワークは、５Ｇコアネットワーク、５Ｇ無線アクセスネットワーク、５ＧＣに接続されたＥＵＴＲＡ、５ＧＣに接続されたＮＲ（Ｎｅｗ  Ｒａｄｉｏ）、ＮＲ、ＮＧＲＡＮ（Ｎｅｘｔ  Ｇｅｎｅｒａｔｉｏｎ  Ｒａｄｉｏ  Ａｃｃｅｓｓ  Ｎｅｔｗｏｒｋ）、５ＧＣ、Ｎ３ＧＰＰ（Ｎｏｎ−３ＧＰＰ）などのうちの少なくとも１つを含むが、それに限定されない。５Ｇネットワークのネットワークユニットは、ＡＭＦ、ＳＭＦ、ＵＰＦ、ＰＣＦ、ＵＤＭ、ｇＮＢ、ＡＭＦに接続されたｅＮＢなどのうちの少なくとも１つを含むが、それらに限定されない。
【００３５】
３Ｇネットワークは、３Ｇコアネットワーク、３Ｇ無線アクセスネットワーク、ＣＤＭＡ、３ＧＰＰ２  １ｘ、ＵＴＲＡＮ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）、ＨＳＰＡ（Ｈｉｇｈ−Ｓｐｅｅｄ  Ｐａｃｋｅｔ  Ａｃｃｅｓｓ）、ＧＰＲＳ（Ｇｅｎｅｒａｌ  Ｐａｃｋｅｔ  Ｒａｄｉｏ  Ｓｅｒｖｉｃｅ）、ＵＴＲＡ（Ｕｎｉｖｅｒｓａｌ  Ｔｅｒｒｅｓｔｒｉａｌ  Ｒａｄｉｏ  Ａｃｃｅｓｓ）、ＲＮＳ（Ｒａｄｉｏ  Ｎｅｔｗｏｒｋ  Ｓｕｂｓｙｓｔｅｍ）、ＢＳＳ（Ｂａｓｅ  Ｓｔａｔｉｏｎ  Ｓｕｂｓｙｓｔｅｍ）などのうちの少なくとも１つを含むが、それらに限定されない。３Ｇネットワークのネットワークユニットは、ＭＳＣ（Ｍｏｂｉｌｅ  Ｓｗｉｔｃｈｉｎｇ  Ｃｅｎｔｅｒ）、ＭＳＣサーバ（ＭＳＣ  Ｓｅｒｖｅｒ）、ＭＧＷ（Ｍｅｄｉａ  Ｇａｔｅｗａｙ）、ＳＧＳＮ、ＧＧＳＮ、ＲＮＣ、ＮｏｄｅＢなどのうちの少なくとも１つを含むが、それらに限定されない。３ＧネットワークＣＳとは、３Ｇネットワークの回線交換ドメインを指し、少なくとも１つの３Ｇネットワークのネットワークユニットの３ＧＰＰ２  １ｘ、ＵＴＲＡＮ、ＨＳＰＡ、ＭＳＣ、ＭＳＣ  Ｓｅｒｖｅｒ、ＭＧＷなどを含むが、それらに限定されない。
【００３６】
４Ｇネットワークは、４Ｇコアネットワーク、４Ｇ無線アクセスネットワーク、ＥＰＣに接続されたＥＵＴＲＡ、ＥＰＣ、ＥＵＴＲＡ、ＬＴＥ、ＥＰＳなどの少なくとも１つを含む。４Ｇネットワークのネットワークユニットは、ＭＭＥ、ＳＧＷ、ＰＧＷ（Ｐａｃｋｅｔ  Ｄａｔａ  Ｎｅｔｗｏｒｋ  Ｇａｔｅｗａｙ）、ＨＳＳ（Ｈｏｍｅ  Ｓｕｂｓｃｒｉｂｅｒ  Ｓｅｒｖｅｒ）、ｅＮＢなどのうちの少なくとも１つを含むが、それらに限定されない。
【００３７】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、本開示の保護範囲に属するものである。
【００３８】
図１を参照する。図１は、本開示の実施例に係る第１ネットワークに位置する第１ネットワークユニットに応用されるサービス実現方法のフローチャートである。
該方法において、
第１ネットワークから第２ネットワークへの操作の関連情報を取得するステップ１１と、
前記第１ネットワークから第２ネットワークへの操作の関連情報に基づいて、第１ネットワークから第２ネットワークへの操作の指示情報を決定し、及び／又は、関連サービスがサポートされるか否かの指示情報を決定するステップ１２とを含む。
【００３９】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵ（Ｐｒｏｔｏｃｏｌ  Ｄａｔａ  Ｕｎｉｔ）セッション確立要求、ＱｏＳ（Ｑｕａｌｉｔｙ  ｏｆ  Ｓｅｒｖｉｃｅ）フロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【００４０】
本開示の一部の選択可能な実施例において、第１ネットワークユニットは、コアネットワーク・ネットワークユニットであり、当然ながら、第１ネットワークユニットが無線アクセスネットワーク・ネットワークユニットである可能性も除外されない。
【００４１】
本開示の一部の選択可能な実施例において、第１ネットワークユニットは、
設定と、
端末と、
第１ネットワークのコアネットワーク・ネットワークユニット（例えば、ＡＭＦ（Ａｃｃｅｓｓ  Ｍａｎａｇｅｍｅｎｔ  Ｆｕｎｃｔｉｏｎ）、ＳＭＦ（Ｓｅｓｓｉｏｎ  Ｍａｎａｇｅｍｅｎｔ  Ｆｕｎｃｔｉｏｎ）、ＵＤＭ（Ｕｎｉｆｉｅｄ  Ｄａｔａ  Ｍａｎａｇｅｍｅｎｔ））と、
第１ネットワークの無線アクセスネットワーク・ネットワークユニットと、
第３ネットワークのネットワークユニット（例えば第１ネットワークから第２ネットワークへの操作をサポートするＭＭＥ（Ｍｏｂｉｌｉｔｙ  Ｍａｎａｇｅｍｅｎｔ  Ｅｎｔｉｔｙ）、この場合、第３ネットワークのネットワークユニットは、第１ネットワークと第２ネットワークの操作のプロキシである）と、
第２ネットワークのネットワークユニット（例えば、第１ネットワークから第２ネットワークへの操作をサポートするＭＳＣ  Ｓｅｒｖｅｒ（Ｍｏｂｉｌｅ  Ｓｗｉｔｃｈｉｎｇ  Ｃｅｎｔｅｒ  Ｓｅｒｖｅｒ））と、
の少なくとも１つから、第１ネットワークから第２ネットワークへの操作の関連情報を取得する。
【００４２】
本開示の一部の選択可能な実施例において、前記第１ネットワークから第２ネットワークへの操作の関連情報は、
第１ネットワークにおいて、第１ネットワークから第２ネットワークへの操作をサポートする関連インターフェースが設定されているか否か、
第１ネットワークにおいて設定された第１ネットワークから第２ネットワークへの操作の関連インターフェース方式、
前記端末の第２ネットワーク能力情報、
前記端末が第１ネットワークから第２ネットワークへの操作をサポートするか否かの情報、
第１ネットワークのネットワークユニット（例えばＡＭＦ、ＳＭＦ又はＮＧ  ＲＡＮなどであり、第１ネットワークの第１ネットワークユニットを含んでもよい）が第１ネットワークから第２ネットワークへの操作をサポートするか否かの情報、
前記端末が第１ネットワークから第２ネットワークへの操作を許可するか否か（例えば前記端末契約情報は、第１ネットワークから第２ネットワークへの操作を許可するか否か）、
端末のＩＭＳセッション遷移番号、
端末のＩＭＳセッション遷移番号が存在するか否かの情報、
端末の移動局国際加入者識別子（ＭＳ  ｉｎｔｅｒｎａｔｉｏｎａｌ  ＰＳＴＮ（Ｐｕｂｌｉｃ  Ｓｗｉｔｃｈｅｄ  Ｔｅｌｅｐｈｏｎｅ  Ｎｅｔｗｏｒｋ）／ＩＳＤＮ（Ｉｎｔｅｇｒａｔｅｄ  Ｓｅｒｖｉｃｅ  Ｄｉｇｉｔａｌ  Ｎｅｔｗｏｒｋ）  ｎｕｍｂｅｒ（Ｍｏｂｉｌｅ  Ｓｕｂｓｃｒｉｂｅｒ  Ｉｎｔｅｒｎａｔｉｏｎａｌ  ＩＳＤＮ  ｎｕｍｂｅｒ，  ＭＳＩＳＤＮ）、
端末の移動局国際加入者識別子が存在するか否かの情報、
前記端末の第１ネットワークにおける端末ＩＤが第２ネットワークにおける端末ＩＤにマッピング可能であるか否か、
前記端末のＳＵＰＩ（Ｓｕｂｓｃｒｉｐｔｉｏｎ  Ｐｅｒｍａｎｅｎｔ  Ｉｄｅｎｔｉｆｉｅｒ）のタイプがＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）であるか否か、
前記端末がシングル登録モードであるか、デュアル登録モードであるか、
前記端末がシングルラジオ（ｓｉｎｇｌｅ  ｒａｄｉｏ）又はデュアルラジオであるか否か、
前記端末が音声中心であるか、データ中心であるか、
通信事業者ポリシー、
通信事業者が、第１ネットワークから第２ネットワークへの操作によって前記関連サービスをサポートするように設定しているか否か、
通信事業者が、第１ネットワークから第２ネットワークへの操作によって前記関連サービスの連続性をサポートするように設定しているか否か、
無線条件、
前記端末の無線条件が第１ネットワークから第２ネットワークへの操作を満たすか否か、
前記関連サービスの情報、
進行中の前記関連サービスが存在するか否か、
前記関連サービスのための要求を受信したか否か、
の少なくとも１つを含む。
【００４３】
一部の実施形態において、前記端末の第２ネットワーク能力情報は、移動端末ネットワーク能力（ＭＳ（Ｍｏｂｉｌｅ  Ｓｔａｔｉｏｎ）  ｎｅｔｗｏｒｋ  ｃａｐａｂｉｌｉｔｙ  ）、第２ネットワーク無線能力、サポートされる回線交換ドメイン音声コーデックリスト情報、移動局クラスマーク２情報（ＭＳ  Ｃｌａｓｓ  Ｍａｒｋ２）、移動局クラスマーク３情報（ＭＳ  Ｃｌａｓｓ  Ｍａｒｋ３）の１つを含む。
【００４４】
一部の実施形態において、端末のＩＭＳセッション遷移番号は、ＳＴＮ−ＳＲ（Ｓｅｓｓｉｏｎ  Ｔｒａｎｓｆｅｒ  Ｎｕｍｂｅｒ−ｓｉｎｇｌｅ  Ｒａｄｉｏ）、Ｅ−ＳＴＮ−ＳＲ（Ｅｍｅｒｇｅｎｃｙ  ｓｅｓｓｉｏｎ  ｔｒａｎｓｆｅｒ  Ｎｕｍｂｅｒ−ｓｉｎｇｌｅ  Ｒａｄｉｏ）、緊急セッション遷移番号の１つを含む。
【００４５】
一部の実施形態において、端末の移動局国際加入者識別子は、Ｃ−ＭＳＩＳＤＮ（Ｃｏｒｒｅｌａｔｉｏｎ  Ｍｏｂｉｌｅ  Ｓｕｂｓｃｒｉｂｅｒ  Ｉｎｔｅｒｎａｔｉｏｎａｌ  ＩＳＤＮ  ｎｕｍｂｅｒ）を含む。
【００４６】
一部の実施形態において、前記関連サービスのための要求を受信したか否かは、前記関連サービスのためのＱｏＳ（Ｑｕａｌｉｔｙ  ｏｆ  Ｓｅｒｖｉｃｅ）フロー確立要求を受信したか否か、前記関連サービスのためのＰＤＵ（Ｐｒｏｔｏｃｏｌ  Ｄａｔａ  Ｕｎｉｔ）セッション確立要求を受信したか否か、前記関連サービスのためのＰＤＵセッション修正要求を受信したか否か、前記関連サービスのためのサービス要求を受信したか否かのうちの１つを含む。
【００４７】
一部の実施形態において、第１ネットワークから第２ネットワークへの操作をサポートするか否かの情報は、第１ネットワークから第２ネットワークへの操作の能力関連情報を含む。前記第１ネットワークから第２ネットワークへの操作の能力関連情報は、第１ネットワークから第２ネットワークへの操作のコアネットワーク能力、第１ネットワークから第２ネットワークへの操作の無線能力のうち少なくとも１つを含む。
【００４８】
前記端末の第１ネットワークにおける端末ＩＤが第２ネットワークにおける端末ＩＤにマッピング可能であるか否かについて、
一部の実施形態において、ＳＵＰＩのタイプは、ＩＭＳＩ又はＮＡＩ（Ｎｅｔｗｏｒｋ  Ａｃｃｅｓｓ  Ｉｄｅｎｔｉｆｉｅｒ）である。３Ｇネットワークでは、ＮＡＩタイプの端末ＩＤをサポートしない。ＳＵＰＩが第１ネットワークのＩＤであり、３Ｇが第２ネットワークである場合、ＮＡＩタイプは、第２ネットワークＩＤにマッピングできないことが容易に理解される。
【００４９】
本開示の一部の選択可能な実施例において、前記第１ネットワークは、５Ｇネットワークであり、前記第２ネットワークは、３Ｇネットワークである。
【００５０】
一部の実装形態において、前記関連サービスは、音声サービス（ＩＭＳ音声サービスとも称される）、緊急サービス（緊急音声サービスとも称される）のうちの１つを含む。
【００５１】
本開示の一部の選択可能な実施例において、前記第１ネットワークと第２ネットワークの操作の関連インターフェース方式は、
第１ネットワークが、直接インターフェースを介して第２ネットワークと操作することと、
第１ネットワークが、第３ネットワークと相互操作し、更に第３ネットワークと第２ネットワークとの相互操作によって、第１ネットワークと第２ネットワークの操作を実現すること、
の少なくとも１つを含む。
【００５２】
本開示の一部の選択可能な実施例において、第１ネットワークが直接インターフェースを介して第２ネットワークと操作するとき、第１ネットワークと第２ネットワークとのインターフェースは、Ｓｖインターフェースである。
第１ネットワークが、第３ネットワークと相互操作し、更に第３ネットワークと第２ネットワークとの相互操作によって、第１ネットワークと第２ネットワークの操作を実現する場合、第１ネットワークと第３ネットワークとのインターフェースは、Ｎ２６インターフェースであり、第３ネットワークと第２ネットワークとのインターフェースは、Ｓｖインターフェースである。
【００５３】
本開示の一部の選択可能な実施例において、前記第１ネットワークは、５Ｇネットワークであり、前記第２ネットワークは、３Ｇネットワークであり、第１ネットワークから第２ネットワークへの操作の関連インターフェースは、以下の少なくとも１つを含む。
第１ネットワークにおいて、例えばＡＭＦとＭＳＣ（Ｍｏｂｉｌｅ  Ｓｗｉｔｃｈｉｎｇ  Ｃｅｎｔｅｒ）とのインターフェース、又はＡＭＦとＭＳＣサーバ（Ｓｅｒｖｅｒ）とのインターフェースのような、Ｓｖインターフェースをサポートするように設定されるか否か。Ｓｖインターフェースは、４Ｇネットワークと３Ｇネットワークとのインターフェースである。
第１ネットワークにおいて、Ｎ２６インターフェースをサポートするように設定されるか否か。例えば、Ｎ２６インターフェースを介して第１ネットワークユニットに接続された４Ｇネットワークユニット（例えばＭＭＥ）が、５Ｇ  ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）の転送をサポートするか否か。Ｎ２６インターフェースは、５Ｇネットワークと４Ｇネットワークとのインターフェースである。
第１ネットワークにおいて、ＡＭＦとＭＳＣとのインターフェース、又はＡＭＦとＭＳＣ  Ｓｅｒｖｅｒとのインターフェースのような、５Ｇネットワークから３Ｇネットワークへのインターフェースをサポートするように設定されるか否か。
５Ｇネットワークから３Ｇネットワークへのインターフェースをサポートする３Ｇネットワークのネットワークユニットは、５Ｇネットワークから３Ｇネットワークへの操作をサポートするか否か。
【００５４】
以下、上記各インターフェースについて詳細に説明する。
【００５５】
端末に５Ｇネットワークの高速データ接続を実現させながら、音声サービスの連続性をサポートする一方で、３Ｇネットワークへの影響を回避又は最小化するために、以下のアーキテクチャが存在する可能性がある。
１）５Ｇネットワークユニット（例えばＡＭＦ）は、Ｓｖインターフェースと３Ｇネットワークユニット（ＭＳＣ）との接続をサポートし、即ちＳｖインターフェース上で既存のプロトコル定義を再利用することによって、３Ｇネットワークの変更を回避することができる。
２）３Ｇネットワークと５Ｇネットワークの相互操作をプロキシの４Ｇネットワークユニットでサポートする。５Ｇネットワークユニット（例えばＡＭＦ）と４Ｇネットワークユニット（例えばＭＭＥ）との間は、Ｎ２６インターフェースをサポートし、４Ｇネットワークユニットは、Ｓｖインターフェースと３Ｇネットワークユニットとの接続をサポートする。４Ｇネットワークユニットは、３Ｇネットワークプロキシとして操作する。
３）５Ｇネットワークユニットと３Ｇネットワークユニットとの間に新たなインターフェースを定義する。
【００５６】
本開示の一部の選択可能な実施例において、第１ネットワークから第２ネットワークへの操作は、第１ネットワークから第２ネットワークへの切り替え、第１ネットワークから第２ネットワークへのＣＳ切り替え、前記関連サービスの連続性の保持のうちの少なくとも１つを含む。
【００５７】
本開示の一部の選択可能な実施例において、前記第１ネットワークから第２ネットワークへの操作の指示情報は、以下の少なくとも１つを含む。
第１ネットワークから第２ネットワークへの操作が可能か否かの指示情報。具体的には、指示情報におけるパラメータ値は、可能か否か（例えばｅｎａｂｌｅ、ａｖａｉｌａｂｌｅ、ｐｏｓｓｉｂｌｅなど）や、実行するか否かなどである。例えば、第１ネットワークから第２ネットワークへの操作が可能であり（第１ネットワークから第２ネットワークへの操作が可能であり、第１ネットワークから第２ネットワークへの操作を可能にする）、又は第１ネットワークから第２ネットワークへの操作を実行する。「可能」については、指示情報を取得する受信側は、第１ネットワークから第２ネットワークへの操作をいつ実行するかを決定することができる。「実行」については、指示情報を取得する受信側は、第１ネットワークから第２ネットワークへの操作を直ちに実行することを決定することができる。
第１ネットワークから第２ネットワークの回線交換（ＣＳ）への切り替えが可能か否かの指示情報。
サービスの連続性が保持できるか否かの指示情報。
【００５８】
本開示の一部の選択可能な実施例において、第１ネットワークから第２ネットワークへの操作は、
第１ネットワークから第２ネットワークへの切り替え、
第１ネットワークから第２ネットワークへのＣＳ切り替え、
前記関連サービスの連続性の保持、
の少なくとも１つを含む。
【００５９】
一部の実施形態において、前記関連サービスの連続性を保持する操作は、端末が第１ネットワークカバレッジから外れるか、又は第１ネットワーク信号品質がアクセスを満たすにはもはや不十分であった場合に、関連サービスの連続性のために、関連サービスをサポートすることが可能な第２ネットワークに切り替えることである。
【００６０】
本開示の実施例において、選択可能に、第１ネットワークから第２ネットワークへの操作の関連情報が以下の少なくとも１つを含む場合、前記第１ネットワークから第２ネットワークへの操作の指示情報は、第１ネットワークから第２ネットワークへの切り替えの指示情報（第１ネットワークから第２ネットワークへの切り替えが可能であり、又は第１ネットワークから第２ネットワークへの切り替えを実行する）、第１ネットワークから第２ネットワークへのＣＳ切り替えの指示情報（第１ネットワークから第２ネットワークへのＣＳ切り替えが可能であり、又は第１ネットワークから第２ネットワークへの切り替えを実行する）、及び／又は、前記関連サービスの連続性を保持する指示情報（前記関連サービスの連続性を保持でき、又は前記関連サービスの連続性の保持を実行する）を含む。
端末が第１ネットワークから第２ネットワークへの操作をサポートする。
第１ネットワークにおいて、第１ネットワークから第２ネットワークへの操作をサポートする。
第１ネットワークにおいて、第１ネットワークから第２ネットワークへの操作の関連インターフェース（例えば、Ｓｖ、Ｎ２６、又は５Ｇネットワークと３Ｇネットワークの新しいインターフェース）をサポートする。
前記関連サービスのための要求（例えば、ＱｏＳ確立要求、ＰＤＵセッション確立要求、ＰＤＵセッション修正又はサービス要求）を受信した。
進行中の前記関連サービスが存在する（ＱＦＩ＝１で音声サービスであるか否かを認識でき、緊急サービス指示ＩＤで緊急サービスであるか否かを認識できる）。
前記端末の第１ネットワークにおける端末ＩＤが第２ネットワークにおける端末ＩＤにマッピング可能である。
端末のＳＵＰＩタイプがＩＭＳＩである。
端末が第１ネットワークから第２ネットワークへの操作を許可する。
端末のＩＭＳセッション遷移番号の存在又は取得。
端末の移動局国際加入者識別子の情報の存在又は取得。
通信事業者は、第１ネットワークから第２ネットワークへの操作によって前記関連サービスをサポートするように設定する。
通信事業者は、第１ネットワークから第２ネットワークへの操作によって前記関連サービスの連続性をサポートするように設定する。
端末の無線条件は、第１ネットワークから第２ネットワークへの切り替えを満たす（例えば、切り替え要件を満たす３Ｇセル又は３Ｇ周波数ポイントが存在する）。
端末がシングル登録モードである。
端末がシングルラジオ（ｓｉｎｇｌｅ  ｒａｄｉｏ）である。
端末が音声中心である（ｖｏｉｃｅ  ｃｅｎｔｒｉｃ）。
【００６１】
本開示の一部の選択可能な実施例において、第１ネットワークユニットは、第１ネットワークから第２ネットワークへの操作の指示情報を、前記端末、第２ネットワークユニット及び／又は無線アクセスネットワークのネットワークユニットに送信する。
【００６２】
本開示の一部の選択可能な実施例において、前記の前記第１ネットワークから第２ネットワークへの操作の関連情報に基づいて、関連サービスがサポートされるか否かの指示情報を決定するステップは、
第１ネットワークから第２ネットワークへの操作が可能か否か、第１ネットワークから第２ネットワークへのＣＳ切り替えが可能か否か、及び／又は、前記関連サービスの連続性が保証されるか否かの条件を満たすかを、前記第１ネットワークから第２ネットワークへの操作の関連情報に基づいて判断するステップと、
判断結果に基づいて、関連サービスがサポートされるか否かの指示情報を決定するステップと、を含む。
【００６３】
本開示の実施例において、
第１ネットワークから第２ネットワークへの操作が可能であること、
第１ネットワークから第２ネットワークへの切り替えが可能であること、
第１ネットワークから第２ネットワークへのＣＳ切り替えが可能であること、
前記関連サービスの連続性が保持できること、
の少なくとも１つの条件を満たした場合、前記関連サービスがサポートされるか否かの指示情報で、前記関連サービスをサポートすることを指示する。
【００６４】
第１ネットワークから第２ネットワークへの操作をサポートしないこと、
第１ネットワークから第２ネットワークへの切り替えをサポートしないこと、
第１ネットワークから第２ネットワークへのＣＳ切り替えをサポートしないこと、
前記関連サービスの連続性が保持できないこと、
の少なくとも１つの条件を満たした場合、前記関連サービスがサポートされるか否かの指示情報で、前記関連サービスをサポートしないことを指示する。
【００６５】
本開示の一部の選択可能な実施例において、前記の関連サービスがサポートされるか否かを決定する指示情報は、
ＩＭＳ音声サービスをサポートするか否かの指示情報、
パケット交換ドメインによるＩＭＳ音声サービスをサポートするか否かの指示情報、
３ＧＰＰによるＰＳドメインセッション方式にアクセスするＩＭＳ音声サービス（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ  ｏｖｅｒ  ３ＧＰＰ）をサポートするか否かの指示情報、
ＣＳによるＩＭＳ音声サービスをサポートするか否かの指示情報、
緊急サービスをサポートするか否かの指示情報、
緊急サービスフォールバックをサポートするか否かの指示情報、
の少なくとも１つを含む。
【００６６】
本開示の一部の選択可能な実施例において、第１ネットワークユニットは、関連サービスがサポートされるか否かの指示情報を、前記端末、第２ネットワークユニット、及び／又は無線アクセスネットワークのネットワークユニットに送信する。
【００６７】
本開示の上記実施例において、選択可能に、第１ネットワークは、５Ｇネットワークであり、前記第２ネットワークは、３Ｇネットワークである。もちろん、第１ネットワーク及び第２ネットワークは、他のタイプのネットワークであってもよい。選択可能に、第１ネットワークのデータ伝送速度は、前記第２ネットワークのデータ伝送速度よりも大きい。
【００６８】
図２を参照する。図２は、本開示の実施例に係る第１ネットワークに位置する第２ネットワークユニットに応用されるサービス実現方法のフローチャートである。
該実現方法は、
第１ネットワークから第２ネットワークへの操作の関連情報、第１ネットワークから第２ネットワークへの操作の指示情報の少なくとも１つを含む情報を取得するステップ２１と、
取得した前記情報に基づいて、端末に対し第１ネットワークから第２ネットワークへの操作を行うステップ２２と、を含む。
【００６９】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵセッション確立要求、ＱｏＳフロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【００７０】
本開示の一部の選択可能な実施例において、前記第２ネットワークユニットは、無線アクセスネットワーク・ネットワークユニット又はコアネットワーク・ネットワークユニットである。
【００７１】
本開示の一部の実施例において、前記第２ネットワークユニットは、第１ネットワークユニット及び／又は端末から前記情報を受信する。
【００７２】
本開示の一部の選択可能な実施例において、前記第１ネットワークから第２ネットワークへの操作の関連情報は、上記図１に示される第１ネットワークユニットの方法実施例の部分に記載した通りであり、ここでは詳しい説明を省略する。
【００７３】
本開示の一部の選択可能な実施例において、前記第１ネットワークから第２ネットワークへの操作の指示情報は、上記図１に示される第１ネットワークユニットの方法実施例の部分に記載した通りであり、ここでは詳しい説明を省略する。
【００７４】
本開示の一部の選択可能な実施例において、前記第１ネットワークから第２ネットワークへの操作は、
第１ネットワークから第２ネットワークへの切り替えの関連操作、
第１ネットワークから第２ネットワークへのＣＳ切り替えの関連操作、
前記関連サービスの連続性の保持、
の少なくとも１つを含む。
【００７５】
本開示の一部の選択可能な実施例において、前記第１ネットワークから第２ネットワークへの切り替えの関連操作は、
第１ネットワークから第２ネットワークへの切り替えプロセスを開始すること、
第１ネットワークから第２ネットワークへのＣＳ切り替えプロセスを開始すること、
第１ネットワークから第２ネットワークへのＣＳ切り替えの指示を送信すること、
第２ネットワークへの端末のリダイレクト、
の少なくとも１つを含む。
【００７６】
ここで、第１ネットワークから第２ネットワークへの切り替えプロセスは、以下の少なくとも１つを含む。
前記第２ネットワークのセルの１つを選択する。
開始された切り替え要求において、第１ネットワークから第２ネットワークへのＣＳ切り替えを指示する。
切り替え要求にｓｏｕｒｃｅ  ＲＮＣ  ｔｏ  Ｔａｒｇｅｔ  ＲＮＣ  Ｔｒａｎｓｐａｒｅｎｔ  Ｃｏｎｔａｉｎｅｒなどのソース無線アクセスネットワークからターゲット無線アクセスネットワークへの透過コンテナ情報を含める。
切り替え要求にＭＳ  Ｃｌａｓｓ  Ｍａｒｋ２を含める。
切り替え要求にＭＳ  Ｃｌａｓｓ  Ｍａｒｋ３を含める。
第１ネットワークにおいて前記端末が第２ネットワークの測定を行うように設定する。
前記第２ネットワークの測定報告を前記端末から取得する。
【００７７】
ここで、端末を第２ネットワークへリダイレクトするプロセスは、以下の少なくとも１つを含む。
リダイレクト周波数ポイントのうち、第２ネットワークを指示する周波数ポイントを端末に送信する。
開始された切り替え要求において、第１ネットワークから第２ネットワークへのＣＳ切り替えを指示する。
端末の接続を開放する。
ブロードキャストされたセル再選択情報において、第２ネットワークの周波数ポイント関連情報を指示する。
【００７８】
端末に送信するセル再選択情報には、第２ネットワークの周波数ポイント関連情報が含まれる。
【００７９】
本開示の一部の選択可能な実施例において、前記の取得した前記情報に基づいて、端末に対し第１ネットワークから第２ネットワークへの操作を行うステップは、
前記情報が、第１ネットワークから第２ネットワークへの操作が可能であり、又は前記関連サービスの連続性が保持できることを示す場合、第１ネットワークから第２ネットワークへの操作を実行すること、
前記情報が、第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、前記関連サービスが存在し、第１ネットワークから切り替える切り替えイベントが発生し、且つ第１ネットワークから第２ネットワークへの操作が可能であり又は前記関連サービスの連続性が保持できることを示す場合、第１ネットワークから第２ネットワークへの操作を実行すること、
前記情報が、前記関連サービスが存在し、第１ネットワークから切り替える切り替えイベントが発生し、且つ第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、第１ネットワークから第２ネットワークへのＣＳ切り替え指示の受信を示す場合、第１ネットワークから第２ネットワークへのＣＳ切り替え操作を開始すること、
前記情報が、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
前記情報が、前記関連サービスの第１ネットワークから切り替える切り替えイベントが存在せず、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
の少なくとも１つを含む。
【００８０】
本開示の一部の選択可能な実施例において、前記第１ネットワークは、５Ｇネットワークであり、前記第２ネットワークは、３Ｇネットワークである。
【００８１】
本開示の一部の選択可能な実施例において、前記関連サービスは、音声サービス、緊急サービスの１つを含む。
【００８２】
図３を参照する。図３は、本開示の１つの実施例に係る端末に応用されるサービス実現方法のフローチャートであり、第１ネットワークにアクセスするときに、第１ネットワークから第２ネットワークへの操作の関連情報を送信するステップ３１を含む。
【００８３】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵセッション確立要求、ＱｏＳフロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【００８４】
一部の実施例において、前記端末は、第１ネットワークから第２ネットワークへの操作の関連情報を第１ネットワークユニット及び／又は第２ネットワークユニットに送信する。
【００８５】
本開示の一部の選択可能な実施例において、前記第１ネットワークから第２ネットワークへの操作の関連情報は、上記図１に示される第１ネットワークユニットの方法実施例の部分に記載された通りであり、ここでは詳しい説明を省略する。
【００８６】
本開示の一部の選択可能な実施例において、前記の第１ネットワークから第２ネットワークへの操作の関連情報を送信するステップの後に、第１ネットワークから第２ネットワークへの操作の指示情報を取得するステップを更に含む。第１ネットワークから第２ネットワークへの操作の指示情報は、上記図１に示される第１ネットワークユニットの方法実施例の部分に記載された通りであり、ここでは詳しい説明を省略する。一部の実施形態において、前記端末は、第１ネットワークから第２ネットワークへの操作の指示情報を第１ネットワークユニット及び／又は第２ネットワークユニットから受信する。
【００８７】
図４を参照する。図４は、本開示の別の実施例に係る端末に応用されるサービス実現方法のフローチャートであり、
第１ネットワークから第２ネットワークへの操作の指示情報を取得するステップ４１と、
前記第１ネットワークから第２ネットワークへの操作の指示情報に基づいて、関連サービスの操作を決定するステップ４２と、を含む。
【００８８】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵセッション確立要求、ＱｏＳフロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【００８９】
本開示の一部の実施例において、前記端末は、第１ネットワークから第２ネットワークへの操作の指示情報を第１ネットワークユニット及び／又は第２ネットワークユニットから受信する。
【００９０】
本開示の一部の選択可能な実施例において、前記の第１ネットワークから第２ネットワークへの操作の指示情報を取得するステップの前に、第１ネットワークにアクセスするときに、第１ネットワークから第２ネットワークへの操作の関連情報を送信するステップを更に含む。一部の実施形態において、前記端末は、第１ネットワークから第２ネットワークへの操作の関連情報を第１ネットワークユニット及び／又は第２ネットワークユニットに送信する。
【００９１】
本開示の一部の選択可能な実施例において、前記第１ネットワークから第２ネットワークへの操作の指示情報は、上記図１に示される第１ネットワークユニットの方法実施例の部分に記載された通りであり、ここでは詳しい説明を省略する。
【００９２】
本開示の一部の選択可能な実施例において、前記関連サービスの操作は、
アクセスドメインを選択すること、
第１ネットワークに常駐するか否かを決定すること、
前記関連サービスを第１ネットワークにおいて開始又は終了するか否かを決定すること、
前記関連サービスに関する要求を第１ネットワークにおいて開始するか否かを決定すること、
の少なくとも１つを含む。
【００９３】
一部の実施形態において、前記関連サービスに関する要求を第１ネットワークにおいて開始するか否かを決定することは、前記関連サービスのためのＱｏＳフロー確立要求を第１ネットワークにおいて開始するか否かを決定することと、前記関連サービスＰＤＵセッション確立要求を第１ネットワークにおいて開始するか否かを決定することと、前記関連サービスのためのＰＤＵセッション修正要求を第１ネットワークにおいて開始するか否かを決定することと、前記関連サービスのためのサービス要求を第１ネットワークにおいて開始するか否かを決定することとのうちの１つを含む。
【００９４】
前記関連サービスのためのサービス要求を第１ネットワークにおいて開始するか否かを決定する。
【００９５】
端末は、第１ネットワークにおいて前記関連サービスの開始及び終了が可能か否か、第１ネットワークにおいて前記関連サービスを開始した後に、端末の移動に伴って、前記関連サービスの連続性が保持できるか否かを判断することができ、第１ネットワークにおいて前記関連サービスを開始するか否かを決定することができる。前記関連サービスは、音声サービス及び緊急サービスを含む。緊急サービスは、緊急サービスに関するＰＤＵセッションの確立を開始する方式と、緊急サービスを指示するサービス要求を開始する方式とがある。
【００９６】
本開示の一部の選択可能な実施例において、前記指示情報が、第１ネットワークから第２ネットワークへの操作が可能であり、又は前記関連サービスの連続性が保持できることを示す場合、前記の前記関連サービスの操作を決定するステップは、
第１ネットワークにおいて前記関連サービスを開始又は終了すること、
前記関連サービスに関するＰＤＵセッションの確立を第１ネットワークにおいて開始すること、
前記関連サービスを指示するサービス要求を第１ネットワークにおいて開始すること、
第１ネットワークに常駐することを選択すること、
の少なくとも１つを含む。
前記指示情報が、第１ネットワークから第２ネットワークへの操作が不可能であり、又はサービスの連続性が保持できないことを示す場合、前記のサービスの操作を決定するステップは、
第１ネットワークにおいて前記関連サービスを開始又は終了しないこと、
前記関連サービスに関するＰＤＵセッションの確立を第１ネットワークにおいて開始しないこと、
前記関連サービスを指示するサービス要求を第１ネットワークにおいて開始しないこと、
第１ネットワークに常駐しないこと、
の少なくとも１つを含む。
【００９７】
本開示の一部の選択可能な実施例において、第１ネットワークは、５Ｇネットワークであり、前記第２ネットワークは、３Ｇネットワークであり、前記関連サービスは、音声サービス、緊急サービスの１つを含む。
【００９８】
５Ｇネットワークは、５Ｇネットワークと３Ｇネットワークとの相互操作（例えば、５Ｇネットワークから３ＧネットワークＣＳドメインへの切り替え）をサポートしない可能性がある。端末は、５Ｇネットワークと３Ｇネットワークとの相互操作（例えば、５Ｇネットワークから３ＧネットワークＣＳドメインへの切り替え）をサポートしない可能性もある。サポートできるとしても、５Ｇネットワークから３ＧネットワークＣＳドメインへの切り替えは、必ずしも許可されない。５Ｇネットワークにおいて、３Ｇネットワークとの相互操作をサポートする場合、特定の端末に対して、５Ｇネットワークから３Ｇネットワークへの切り替え（例えば、５Ｇネットワークから３ＧネットワークＣＳドメインへの切り替え）を開始できるかは、明らかではない。
【００９９】
５Ｇネットワークから３Ｇネットワークへの操作を必要としない場合、端末が５Ｇネットワークから３Ｇネットワークへの操作をサポートしていても、５Ｇの無線アクセスネットワークにおいて、ＵＥを３Ｇ測定のために設定しない。
【０１００】
５Ｇネットワークから３Ｇネットワークへの操作が必要とされる場合、５Ｇの無線アクセスネットワークにおいて、その後に５Ｇネットワークから３Ｇネットワークへの切り替えを開始するために、ＵＥが３Ｇ測定を行うように設定するべきである。
【０１０１】
本開示の上記方法により、無線アクセスネットワークにおいて、音声サービスの連続性を保証するために、又は音声サービスの開始及び終了を保証するために、５Ｇから３Ｇへの関連操作を正確に決定することができる。端末は、５Ｇネットワークにおいて音声サービスの開始及び終了が可能であるか、５Ｇネットワークにおいて音声サービスを開始した後、端末の移動に伴って、音声サービスの連続性が保持されるか否かを判断することができ、５Ｇネットワークにおいて音声サービスを開始するか否かを決定することができる。
【０１０２】
以下、具体的な実施例を挙げて、本開示の上記方法を詳細に説明する。
実施例１
【０１０３】
図５を参照する。図５は、本開示の実施例１に係るサービス実現方法のフローチャートである。本開示の実施例に係るサービス実現方法は、以下のステップを含む。
【０１０４】
ステップ５１において、登録要求メッセージを含むＲＲＣ（Ｒａｄｉｏ  Ｒｅｓｏｕｒｃｅ  Ｃｏｎｔｒｏｌ）メッセージを端末から５Ｇ無線アクセスネットワークに送信する。
【０１０５】
ステップ５２において、登録要求メッセージを含むＮ２インターフェースメッセージを５Ｇ無線アクセスネットワークから５Ｇコアネットワーク（例えば、ＡＭＦ）に送信する。
【０１０６】
選択可能に、ＲＲＣメッセージは、第１ネットワークから第２ネットワークへの操作の関連情報（ステップ１２で説明しており、ここでは詳しい説明を省略する）を含み、例えば、端末の５Ｇネットワークから３Ｇネットワークへの操作の無線能力関連情報、端末の３Ｇネットワーク能力の関連情報の少なくとも１つを含む。
【０１０７】
選択可能に、Ｎ２インターフェースメッセージ（例えば初期ＵＥメッセージ）は、第１ネットワークから第２ネットワークへの操作の関連情報（ステップ１２で説明しており、ここでは詳しい説明を省略する）を含み、例えば、端末の５Ｇネットワークから３Ｇネットワークへの操作の無線能力関連情報、端末の３Ｇネットワーク能力の関連情報、５Ｇ無線アクセスネットワークの５Ｇネットワークから３Ｇネットワークへの操作の無線能力関連情報の少なくとも１つを含む。
【０１０８】
選択可能に、前記登録要求メッセージは、第１ネットワークから第２ネットワークへの操作の関連情報（ステップ１２で説明しており、ここでは詳しい説明を省略する）を含み、例えば、端末の５Ｇネットワークから３Ｇネットワークへの操作の能力関連情報、端末の３Ｇネットワーク能力の関連情報の少なくとも１つを含む。
【０１０９】
１つの実施形態において、端末の３Ｇネットワーク能力関連情報は、ＭＳネットワーク能力情報である。
【０１１０】
１つの実施形態において、端末の５Ｇネットワークから３Ｇネットワークへの操作の能力関連情報は、５Ｇネットワークから３Ｇネットワークへの切り替えの能力関連情報、５Ｇネットワークから３Ｇネットワークへのリダイレクトの能力関連情報、３Ｇネットワークから５Ｇネットワークへの切り替えの能力関連情報、３Ｇネットワークから５Ｇネットワークへのリダイレクトの能力関連情報の少なくとも１つを含む。
【０１１１】
１つの実施形態において、５Ｇネットワークから３Ｇネットワークへの切り替えの能力関連情報は、５Ｇネットワークから３ＧネットワークのＣＳ域への切り替えの能力関連情報、５Ｇネットワークから３Ｇネットワークのパケット交換（ＰＳ）域への切り替えの能力関連情報、音声の連続性が保持される５Ｇネットワークから３ＧネットワークのＣＳ域への切り替えの能力関連情報の少なくとも１つを含む。
【０１１２】
操作の能力関連情報は、少なくとも、前記操作をサポートするか否かの指示情報を含むことは、容易に理解できる。例えば、音声の連続性が保持される５Ｇネットワークから３ＧネットワークのＣＳ域への切り替えの能力関連情報は、少なくとも、音声の連続性の保持がサポートされるか否かの５Ｇネットワークから３ＧネットワークのＣＳ域への切り替えの指示情報を含む。５Ｇネットワークから３ＧネットワークのＣＳ域への切り替えの能力関連情報は、少なくとも、５Ｇネットワークから３ＧネットワークへのＣＳ切り替えがサポートされるか否かの指示情報を含む。
【０１１３】
５Ｇネットワークと３Ｇネットワークの相互操作能力を有する端末が５Ｇネットワークと３Ｇネットワークの相互操作をサポートし、５Ｇネットワークと３Ｇネットワークの相互操作能力を有しない端末が５Ｇネットワークと３Ｇネットワークの相互操作をサポートしないことは、容易に理解できる。
【０１１４】
ステップ５３において、５Ｇコアネットワークは、ＵＤＭへの登録を行い、端末の契約情報（端末の５Ｇネットワークから３Ｇネットワークへの操作を許可するか否か）、端末のＳＵＰＩのタイプ、ＩＭＳセッション遷移番号（初期のＩＭＳセッション遷移番号は、ｄｕｍｍｙのＩＭＳセッション遷移番号である可能性があり、ＩＭＳセッション遷移番号の取得が可能か否かから、端末の５Ｇネットワークから３Ｇネットワークへの操作を許可するか否かが分かる）、ＭＳＩＳＤＮの少なくとも１つをＵＤＭから取得する。選択可能に、前記契約情報には、端末の５Ｇネットワークと３Ｇネットワークの相互操作を許可するか否かを含む。
【０１１５】
１つの実施形態において、端末の５Ｇと３Ｇの相互操作は、５Ｇネットワークから３Ｇネットワークへの切り替え、５Ｇネットワークから３Ｇネットワークへのリダイレクト、３Ｇから５Ｇへの切り替え、３Ｇから５Ｇへのリダイレクトのうちの少なくとも１つを含む。
【０１１６】
１つの実施形態において、５Ｇネットワークから３Ｇネットワークへの切り替えは、５Ｇネットワークから３ＧネットワークへのＣＳ切り替え、５Ｇネットワークから３ＧネットワークＰＳへの切り替え、音声の連続性を保持する５Ｇネットワークから３ＧネットワークへのＣＳ切り替えの少なくとも１つを含む。
【０１１７】
１つの実施形態において、端末の５Ｇネットワークと３Ｇネットワークの相互操作を許可するか否かは、ＳＴＮ−ＳＲの取得が可能か否かによって決められる。取得した場合は、許可を示し、そうでない場合は、許可しないことを示す。
【０１１８】
１つの実施形態において、ＳＵＰＩタイプがＩＭＳＩである場合、５Ｇネットワークと３Ｇネットワークの相互操作は、サポートされる。ＳＵＰＩタイプがＩＭＳＩ以外の他のタイプ（例えば、ＮＡＩ）である場合、５Ｇネットワークと３Ｇネットワークの相互操作は、サポートされない。５Ｇネットワークと３Ｇネットワークの相互操作能力を有し、又は５Ｇネットワークと３Ｇネットワークの相互操作をサポートする端末のＳＵＰＩタイプがＩＭＳＩであることは、容易に理解できる。
【０１１９】
また、５Ｇコアネットワークは、相互操作インターフェースがサポートされるか否かの関連情報、他のネットワークユニットが５Ｇネットワークと３Ｇネットワークの相互操作をサポートするか否かの少なくとも１つを取得できる。１つの実施形態において、５Ｇコアネットワークは、設定から前記情報を取得する。
【０１２０】
ステップ５４において、５Ｇコアネットワークは、取得した５Ｇネットワークから３Ｇネットワークへの操作の関連情報に基づいて、５Ｇネットワークから３Ｇネットワークへの操作に関する指示情報を決定する。５Ｇコアネットワークは、Ｎ２インターフェースメッセージ（例えば初期ＵＥコンテキスト確立要求メッセージ又は下りＮＡＳ伝送メッセージなど）を５Ｇ無線アクセスネットワークに送信する。選択可能に、前記メッセージは、５Ｇネットワークから３Ｇネットワークへの操作に関する指示情報を含む。前記メッセージは、端末に送信される登録受け入れメッセージを含む。選択可能に、前記登録受け入れメッセージは、５Ｇネットワークから３Ｇネットワークへの操作に関する指示情報を含む。
【０１２１】
１つの実施形態において、５Ｇ無線アクセスネットワークは、前記取得した５Ｇネットワークから３Ｇネットワークへの操作に関する指示情報に基づいて、端末に対し５Ｇネットワークから３Ｇネットワークへの関連操作を行う。
【０１２２】
ステップ５５において、５Ｇ無線アクセスネットワークは、ＲＲＣメッセージを端末に送信する。選択可能に、前記登録受け入れメッセージは、５Ｇネットワークから３Ｇネットワークへの操作に関する指示情報を含む。
【０１２３】
１つの実施形態において、端末は、前記メッセージから、５Ｇネットワークから３Ｇネットワークへの操作に関する指示情報（音声の連続性が保持できる）を取得し、取得した５Ｇネットワークから３Ｇネットワークへの操作に関する指示情報に基づいて、サービスの処理操作を決定する。
【０１２４】
端末は、受信した後、前記第１ネットワークから第２ネットワークへの操作の指示情報に基づいて、関連サービスの操作を決定する。具体的には、ステップ３２で説明した通りであり、ここではその説明を省略する。
実施例２
【０１２５】
実施例２において、端末が、５Ｇネットワークにおいて関連サービスのＰＤＵセッションを開始し、５Ｇネットワークにおいて切り替えを開始し端末を３Ｇに切り替えて音声サービスの進行をサポートする。
【０１２６】
図６を参照する。図６は、本開示の実施例２に係るサービス実現方法のフローチャートである。本開示の実施例に係るサービス実現方法は、以下のステップを含む。
【０１２７】
ステップ６１において、ＩＭＳセッションの確立のＭＯ（Ｍｏｂｉｌｅ  Ｏｒｉｇｉｎａｔｅｄ）又はＭＴ（Ｍｏｂｉｌｅ  Ｔｅｒｍｉｎａｔｅｄ）が行われる。
【０１２８】
ステップ６２において、５Ｇ無線アクセスネットワーク（５Ｇ無線アクセスネットワーク）は、音声サービスに関するＱｏＳフロー確立要求を受信する。
【０１２９】
ステップ６３において、５Ｇ無線アクセスネットワークは、ＱｏＳフロー確立要求を拒否し、拒否理由として、５Ｇネットワークから３ＧネットワークへのＣＳ切り替えを指示する。
【０１３０】
選択可能に、５Ｇ無線アクセスネットワークは、前記取得した５Ｇネットワークから３Ｇネットワークへの操作に関する指示情報に基づいて、端末に対し５Ｇネットワークから３Ｇネットワークへの関連操作を行う。
【０１３１】
本開示の一部の選択可能な実施例において、前記第１ネットワークから第２ネットワークへの操作の指示情報は、ステップ１２で説明した通りであり、ここでは詳しい説明を省略する。
【０１３２】
１つの実施形態において、５Ｇ無線アクセスネットワークは、前記５Ｇネットワークから３Ｇネットワークへの操作の無線能力関連情報を端末から取得する。
【０１３３】
１つの実施形態において、５Ｇ無線アクセスネットワークは、音声サービスＱｏＳフロー確立要求の受信時、音声サービスＱｏＳフロー確立要求の受信前の少なくとも一方により、前記５Ｇネットワークから３Ｇネットワークへの操作に関する指示情報を取得する。
【０１３４】
５Ｇネットワークから３Ｇネットワークへの操作に関する指示情報は、２つの指示であってもよいし、１つの指示であってもよい。例えば、
■５Ｇネットワークから３Ｇネットワークへの操作が可能である指示を受信すると、無線アクセスネットワークは、該情報に基づいて、端末による３Ｇネットワークの測定及び３Ｇネットワーク測定報告の取得を設定する。その後、音声に関するＱｏＳフロー確立要求の受信、及び／又は、５Ｇネットワークから３ＧネットワークへのＣＳ切り替え指示の受信に応じて、無線アクセスネットワークは、５Ｇネットワークから３ＧネットワークへのＣＳ切り替えを開始する。
■３Ｇネットワーク周波数ポイントは、予め５Ｇネットワーク無線アクセスネットワークに設定される。無線アクセスネットワークは、５Ｇネットワークから３Ｇネットワークへの操作が可能である指示の受信、音声に関するＱｏＳフロー確立要求の受信、及び／又は、５Ｇネットワークから３ＧネットワークへのＣＳ切り替え指示の受信に応じて、５Ｇネットワークから３ＧネットワークへのＣＳ切り替えを開始する。
【０１３５】
ステップ６４において、５Ｇ無線アクセスネットワークは、５Ｇコアネットワークへ切り替え要求メッセージを送信する。前記メッセージは、５Ｇネットワークから３ＧネットワークへのＣＳ切り替え指示、ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓ  Ｍａｒｋ２の少なくとも１つを含む。
【０１３６】
５Ｇコアネットワークは、ＰＳからへのＣＳ切り替え要求を３Ｇネットワークのネットワークユニットに送信する。１つの実施形態において、５Ｇコアネットワークは、ＰＳからへのＣＳ切り替え要求を、プロキシネットワークユニットを介して３Ｇネットワークのネットワークユニットに送信する。
【０１３７】
その後の切り替えプロセスは、省略する。
実施例３
【０１３８】
実施例３において、端末が５Ｇネットワークで関連サービスを行い、その後の５Ｇネットワークカバレッジが要求を満たさない場合、５Ｇネットワークにおいて切り替えを開始して、端末を３Ｇネットワークに切り替えて、関連サービスの連続性を保持する。
【０１３９】
図７を参照する。図７は、本開示の実施例３に係るサービス実現方法のフローチャートである。本開示の実施例に係るサービス実現方法は、以下のステップを含む。
【０１４０】
ステップ７１において、端末は、５Ｇネットワークにおいて音声サービスを開始又は終了する。
【０１４１】
ステップ７２において、無線アクセスネットワークが測定報告を受信すると、５Ｇネットワークに切り替えるイベントが発生する。
【０１４２】
選択可能に、５Ｇ無線アクセスネットワークは、前記取得した５Ｇネットワークから３Ｇネットワークへの操作に関する指示情報に基づいて、端末に対し５Ｇネットワークから３Ｇネットワークへの関連操作を行う。
【０１４３】
５Ｇ無線アクセスネットワークは、切り替えが発生する前に、前記５Ｇネットワークから３Ｇネットワークへの操作に関する指示情報を既に取得している。
【０１４４】
５Ｇ無線アクセスネットワークは、５Ｇコアネットワーク（例えばＡＭＦ）に切り替え要求メッセージを送信する。前記メッセージは、５Ｇネットワークから３ＧネットワークへのＣＳ切り替え指示、ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓｍａｒｋ２の少なくとも１つを含む。
【０１４５】
５Ｇコアネットワークは、ＰＳからへのＣＳ切り替え要求を３Ｇのネットワークユニットに送信する。
【０１４６】
１つの実施形態において、５Ｇコアネットワークは、ＰＳからへのＣＳ切り替え要求を、プロキシネットワークユニットを介して３Ｇネットワークのネットワークユニットに送信する。
【０１４７】
ステップ７３において、その後の切り替えプロセスは、省略する。
実施例４
【０１４８】
実施例４において、端末が、５Ｇネットワークで関連サービスの確立を開始し、５Ｇネットワークにおいて切り替えを開始して、端末を３Ｇに切り替えて関連サービスの進行をサポートする。
【０１４９】
図８を参照する。図８は、本開示の実施例４に係るサービス実現方法のフローチャートである。本開示の実施例に係るサービス実現方法は、以下のステップを含む。
【０１５０】
ステップ８１において、端末は、５Ｇネットワークに常駐する。
【０１５１】
ステップ８２において、端末は、関連サービスの進行を必要とする場合、５Ｇコアネットワーク（例えばＡＭＦ）にサービス要求を送信し、サービス要求で関連サービスを指示する。
【０１５２】
選択可能に、５Ｇコアネットワークは、前記取得した５Ｇネットワークから３Ｇネットワークへの操作の関連情報に基づいて、５Ｇネットワークから３Ｇネットワークへの操作の指示情報を決定する。
【０１５３】
本開示の一部の選択可能な実施例において、前記第１ネットワークから第２ネットワークへの操作の関連情報は、ステップ１２で説明した通りであり、ここでは詳しい説明を省略する。
【０１５４】
本開示の一部の選択可能な実施例において、前記第１ネットワークから第２ネットワークへの操作の指示情報は、ステップ１２で説明した通りであり、ここでは詳しい説明を省略する。
【０１５５】
ステップ８３において、５Ｇコアネットワークは、５Ｇ無線アクセスネットワークへＮ２インターフェースメッセージを送信する。選択可能に、前記メッセージは、第１ネットワークから第２ネットワークへの操作の指示情報を含む。
【０１５６】
選択可能に、５Ｇ無線アクセスネットワークは、前記取得した５Ｇネットワークから３Ｇネットワークへの操作に関する指示情報に基づいて、端末に対し５Ｇネットワークから３Ｇネットワークへの関連操作を行う。
【０１５７】
１つの実施形態において、５Ｇ無線アクセスネットワークは、前記５Ｇネットワークが３Ｇネットワークへの操作の無線能力関連情報を端末から取得する。
【０１５８】
１つの実施形態において、５Ｇ無線アクセスネットワークは、音声サービスＱｏＳフロー確立要求受信時、音声サービスＱｏＳフロー確立要求受信前の少なくとも一方により、前記５Ｇネットワークから３Ｇネットワークへの操作に関する指示情報を取得する。
【０１５９】
５Ｇネットワークから３Ｇネットワークへの操作に関する指示情報は、２つの指示であってもよいし、１つの指示であってもよい。例えば、
■５Ｇネットワークから３Ｇネットワークへの操作が可能である指示を受信すると、無線アクセスネットワークは、該情報に基づいて、端末による３Ｇネットワークの測定及び３Ｇネットワーク測定報告の取得を設定する。その後、音声に関するＱｏＳフロー確立要求の受信、及び／又は、５Ｇネットワークから３ＧネットワークへのＣＳ切り替え指示の受信に応じて、無線アクセスネットワークは、５Ｇネットワークから３ＧネットワークへのＣＳ切り替えを開始する。
■３Ｇネットワーク周波数ポイントは、予め５Ｇネットワーク無線アクセスネットワークに設定される。無線アクセスネットワークは、５Ｇネットワークから３Ｇネットワークへの操作が可能である指示の受信、音声に関するＱｏＳフロー確立要求の受信、及び／又は、５Ｇネットワークから３ＧネットワークへのＣＳ切り替え指示の受信に応じて、５Ｇネットワークから３ＧネットワークへのＣＳ切り替えを開始する。
【０１６０】
ステップ８４において、５Ｇ無線アクセスネットワークは、５Ｇコアネットワークへ切り替え要求メッセージを送信する。前記メッセージは、５Ｇネットワークから３ＧネットワークへのＣＳ切り替え指示、ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓ  Ｍａｒｋ２の少なくとも１つを含む。
【０１６１】
５Ｇコアネットワークは、ＰＳからへのＣＳ切り替え要求を３Ｇネットワークのネットワークユニットに送信する。１つの実施形態において、５Ｇコアネットワークは、ＰＳからへのＣＳ切り替え要求を、プロキシネットワークユニットを介して３Ｇネットワークのネットワークユニットに送信する。
【０１６２】
ステップ８４において、その後の切り替えプロセスは、省略する。
【０１６３】
図９を参照する。図９は、本開示の実施例に係る第１ネットワークユニットの構造図である。
第１ネットワークに位置する本開示の実施例に係る第１ネットワークユニット９０は、
第１ネットワークから第２ネットワークへの操作の関連情報を取得する取得モジュール９１と、
前記第１ネットワークから第２ネットワークへの操作の関連情報に基づいて、第１ネットワークから第２ネットワークへの操作の指示情報を決定し、及び／又は、関連サービスがサポートされるか否かの指示情報を決定する決定モジュール９２と、を含む。
【０１６４】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵセッション確立要求、ＱｏＳフロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【０１６５】
本開示の一部の選択可能な実施例において、前記取得モジュール９１は、端末と、アクセス管理機能と、セッション管理機能と、第１ネットワークの無線アクセスネットワークと、統一データ管理機能と、第３ネットワークのネットワークユニットと、第２ネットワークのネットワークユニットとの少なくとも１つから、前記第１ネットワークから第２ネットワークへの操作の関連情報を取得する。
【０１６６】
本開示の実施例において、前記第１ネットワークから第２ネットワークへの操作の関連情報は、上記第１ネットワークユニットの方法実施例の部分に記載された通りであり、ここではその説明を省略する。
【０１６７】
本開示の一部の選択可能な実施例において、前記第１ネットワークは、５Ｇネットワークであり、前記第２ネットワークは、３Ｇネットワークであり、前記関連サービスは、音声サービス、緊急サービスの１つを含む。
【０１６８】
本開示の実施例において、前記第１ネットワークと第２ネットワークの操作の関連インターフェース方式は、上記第１ネットワークユニットの方法実施例の部分に記載された通りであり、ここではその説明を省略する。
【０１６９】
本開示の一部の選択可能な実施例において、前記第１ネットワークから第２ネットワークへの操作の指示情報は、上記第１ネットワークユニットの方法実施例の部分に記載された通りであり、ここではその説明を省略する。
【０１７０】
本開示の一部の選択可能な実施例において、前記第１ネットワークユニットは、前記第１ネットワークから第２ネットワークへの操作の指示情報を、前記端末及び／又は無線アクセスネットワークのネットワークユニットに送信する送信モジュールを更に含む。
【０１７１】
本開示の一部の選択可能な実施例において、前記決定モジュール９２は、第１ネットワークから第２ネットワークへの操作が可能か否か、第１ネットワークから第２ネットワークへのＣＳ切り替えが可能か否か、及び／又は、前記関連サービスの連続性が保証されるか否かの条件を満たすかを、前記第１ネットワークから第２ネットワークへの操作の関連情報に基づいて判断し、判断結果に基づいて、関連サービスがサポートされるか否かの指示情報を決定する。
【０１７２】
本開示の一部の選択可能な実施例において、前記決定モジュール９２は、
第１ネットワークから第２ネットワークへの操作が可能であること、
第１ネットワークから第２ネットワークへの切り替えが可能であること、
第１ネットワークから第２ネットワークへのＣＳ切り替えが可能であること、
前記関連サービスの連続性が保持できること、
の少なくとも１つの条件を満たした場合、前記関連サービスをサポートすることを、前記関連サービスがサポートされるか否かの指示情報で指示するが、
第１ネットワークから第２ネットワークへの操作をサポートしないこと、
第１ネットワークから第２ネットワークへのＣＳ切り替えをサポートしないこと、
前記関連サービスの連続性が保持できないこと、
の少なくとも１つの条件を満たした場合、第１ネットワークユニットにおいてサービスをサポートしないことを、第１ネットワークユニットにおいてサービスがサポートされるか否かを示す指示情報で指示する。
【０１７３】
本開示の一部の選択可能な実施例において、前記の関連サービスがサポートされるか否かを決定する指示情報は、上記第１ネットワークユニットの方法実施例の部分に記載された通りであり、ここではその説明を省略する。
【０１７４】
図１０を参照する。図１０は、本開示の実施例に係る第２ネットワークユニットの構造図である。
第１ネットワークに位置する本開示の実施例に係る第２ネットワークユニット１００は、
第１ネットワークから第２ネットワークへの操作の関連情報、第１ネットワークから第２ネットワークへの操作の指示情報の少なくとも１つを含む情報を取得する取得モジュール１０１と、
取得した前記情報に基づいて、端末に対し第１ネットワークから第２ネットワークへの操作を行う操作モジュール１０２と、を含む。
【０１７５】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵセッション確立要求、ＱｏＳフロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【０１７６】
本開示の実施例において、前記第１ネットワークから第２ネットワークへの操作の関連情報は、上記第１ネットワークユニットの方法実施例の部分に記載された通りであり、ここではその説明を省略する。
【０１７７】
本開示の一部の選択可能な実施例において、前記第１ネットワークから第２ネットワークへの操作は、
第１ネットワークから第２ネットワークへの切り替えに関する操作、
第１ネットワークから第２ネットワークへのＣＳ切り替えに関する操作、
前記関連サービスの連続性、
の保持の少なくとも１つを含む。
【０１７８】
本開示の一部の選択可能な実施例において、前記第１ネットワークから第２ネットワークへの切り替えに関する操作は、
第１ネットワークから第２ネットワークへの切り替えプロセスを開始すること、
第１ネットワークから第２ネットワークへのＣＳ切り替えプロセスを開始すること、
第１ネットワークから第２ネットワークへのＣＳ切り替え指示を送信すること、
第２ネットワークへの端末のリダイレクト、
の少なくとも１つを含む。
【０１７９】
本開示の一部の選択可能な実施例において、前記操作モジュール１０２は、
前記情報が、第１ネットワークから第２ネットワークへの操作が可能であり、又は前記関連サービスの連続性が保持できることを示す場合、第１ネットワークから第２ネットワークへの操作を実行すること、
前記情報が、第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、前記関連サービスが存在し、第１ネットワークから切り替える切り替えイベントが発生し、且つ第１ネットワークから第２ネットワークへの操作が可能であり又は前記関連サービスの連続性が保持できることを示す場合、第１ネットワークから第２ネットワークへの操作を実行すること、
前記情報が、前記関連サービスが存在し、第１ネットワークから切り替える切り替えイベントが発生し、且つ第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、第１ネットワークから第２ネットワークへのＣＳ切り替え指示の受信を示す場合、第１ネットワークから第２ネットワークへのＣＳ切り替え操作を開始すること、
前記情報が、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
前記情報が、前記関連サービスの第１ネットワークから切り替える切り替えイベントが存在せず、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
の少なくとも１つを実行する。
【０１８０】
本開示の一部の選択可能な実施例において、前記第１ネットワークは、５Ｇネットワークであり、前記第２ネットワークは、３Ｇネットワークであり、前記関連サービスは、音声サービス、緊急サービスの１つを含む。
【０１８１】
図１１を参照する。図１１は、本開示の１つの実施例の端末の構造図である。
本開示の実施例に係る端末１１０は、
第１ネットワークから第２ネットワークへの操作の指示情報を取得する取得モジュール１１１と、
前記第１ネットワークから第２ネットワークへの操作の指示情報に基づいて、関連サービスの操作を決定する決定モジュール１１２と、を含む。
【０１８２】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵ（Ｐｒｏｔｏｃｏｌ  Ｄａｔａ  Ｕｎｉｔ）セッション確立要求、ＱｏＳ（Ｑｕａｌｉｔｙ  ｏｆ  Ｓｅｒｖｉｃｅ）フロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【０１８３】
本開示の一部の選択可能な実施例において、前記端末は、第１ネットワークにアクセスするときに、第１ネットワークから第２ネットワークへの操作の関連情報を送信する送信モジュールを更に含む。
【０１８４】
本開示の一部の選択可能な実施例において、前記関連サービスの操作は、
アクセスドメインを選択すること、
第１ネットワークに常駐するか否かを決定すること、
前記関連サービスの要求を第１ネットワークにおいて開始又は終了するか否かを決定すること、
の少なくとも１つを含む。
【０１８５】
本開示の一部の選択可能な実施例において、前記指示情報が、第１ネットワークから第２ネットワークへの操作が可能であり、又は前記関連サービスの連続性が保持できることを示す場合、前記決定モジュールは、
第１ネットワークにおいて前記関連サービスを開始又は終了すること、
前記関連サービスに関するＰＤＵセッションの確立を第１ネットワークにおいて開始すること、
前記関連サービスを指示するサービス要求を第１ネットワークにおいて開始すること、
第１ネットワークに常駐することを選択すること、
の少なくとも１つを実行する。
本開示の一部の選択可能な実施例において、前記指示情報が、第１ネットワークから第２ネットワークへの操作が不可能であり、又はサービスの連続性が保持できないことを示す場合、前記決定モジュールは、
第１ネットワークにおいて前記関連サービスを開始又は終了しないこと、
前記関連サービスに関するＰＤＵセッションの確立を第１ネットワークにおいて開始しないこと、
前記関連サービスを指示するサービス要求を第１ネットワークにおいて開始しないこと、
第１ネットワークに常駐しないこと、
の少なくとも１つを実行する。
【０１８６】
本開示の一部の選択可能な実施例において、前記第１ネットワークは、５Ｇネットワークであり、前記第２ネットワークは、３Ｇネットワークであり、前記関連サービスは、音声サービス、緊急サービスの１つを含む。
【０１８７】
本開示の上記実施例において、ネットワークユニットは、任意のネットワーク側機器又はネットワーク機能である。例えば、ネットワークユニットは、無線アクセスネットワーク・ネットワークユニット又はコアネットワーク・ネットワークユニットである。
【０１８８】
本開示の実施例において、コアネットワーク・ネットワークユニットは、コアネットワーク機器、コアネットワークノード、コアネットワーク機能、コアネットワーク・ネットワークユニット、ＭＭＥ（Ｍｏｂｉｌｉｔｙ  Ｍａｎａｇｅｍｅｎｔ  Ｅｎｔｉｔｙ）、ＡＭＦ（Ａｃｃｅｓｓ  Ｍａｎａｇｅｍｅｎｔ  Ｆｕｎｃｔｉｏｎ）、ＳＭＦ（Ｓｅｓｓｉｏｎ  Ｍａｎａｇｅｍｅｎｔ  Ｆｕｎｃｔｉｏｎ）、ＵＰＦ（Ｕｓｅｒ  Ｐｌａｎｅ  Ｆｕｎｃｔｉｏｎ）、ＳＧＷ（ｓｅｒｖｉｎｇ  ＧＷ）、ＰＤＮゲートウェイ（ＰＤＮ  Ｇａｔｅ  Ｗａｙ）、ＰＣＦ（Ｐｏｌｉｃｙ  Ｃｏｎｔｒｏｌ  Ｆｕｎｃｔｉｏｎ）、ＰＣＲＦ（Ｐｏｌｉｃｙ  ａｎｄ  Ｃｈａｒｇｉｎｇ  Ｒｕｌｅｓ  Ｆｕｎｃｔｉｏｎ）、ＳＧＳＮ（Ｓｅｒｖｉｎｇ  ＧＰＲＳ  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）のうちの少なくとも１つを含むが、それらに限定されない。
【０１８９】
本開示の実施例において、無線アクセスネットワーク・ネットワークユニットは、無線アクセスネットワーク機器、無線アクセスネットワークノード、無線アクセスネットワーク機能、無線アクセスネットワーク・ネットワークユニット、３ＧＰＰ無線アクセスネットワーク、非３ＧＰＰ無線アクセスネットワーク、ＣＵ（Ｃｅｎｔｒａｌｉｚｅｄ  Ｕｎｉｔ）、ＤＵ（Ｄｉｓｔｒｉｂｕｔｅｄ  Ｕｎｉｔ）、基地局、ｅＮＢ（ｅｖｏｌｖｅｄ  Ｎｏｄｅ  Ｂ）、５Ｇ基地局（ｇＮＢ）、ＲＮＣ（Ｒａｄｉｏ  Ｎｅｔｗｏｒｋ  Ｃｏｎｔｒｏｌｌｅｒ）、基地局（ＮｏｄｅＢ）、Ｎ３ＩＷＦ（Ｎｏｎ−３  ＧＰＰ  Ｉｎｔｅｒ  Ｗｏｒｋｉｎｇ  Ｆｕｎｃｔｉｏｎ）、ＡＣ（Ａｃｃｅｓｓ  Ｃｏｎｔｒｏｌｌｅｒ）ノード、ＡＰ（Ａｃｃｅｓｓ  Ｐｏｉｎｔ）機器又はＷＬＡＮ（Ｗｉｒｅｌｅｓｓ  Ｌｏｃａｌ  Ａｒｅａ  Ｎｅｔｗｏｒｋｓ）ノードのうちの少なくとも１つを含むが、それらに限定されない。
【０１９０】
基地局は、ＧＳＭシステム（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）におけるＢＴＳ（Ｂａｓｅ  Ｔｒａｎｓｃｅｉｖｅｒ  Ｓｔａｔｉｏｎ）であってもよく、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）及び５Ｇ基地局（ｇＮＢ）であってもよいが、本開示の実施例では限定されない。
【０１９１】
本開示において、ｅＬＴＥは、ＥＵＴＲＡが５ＧＣに直接接続する方式である。ＥＰＳは、ＬＴＥと呼ばれることもある。
【０１９２】
図１２を参照する。図１２は、本開示の別の実施例に係る端末の構造図である。該端末１２０は、ラジオ周波数ユニット１２１と、ネットワークモジュール１２２と、音声出力ユニット１２３と、入力ユニット１２４と、センサ１２５と、表示ユニット１２６と、ユーザ入力ユニット１２７と、インターフェースユニット１２８と、メモリ１２９と、プロセッサ１２１０と、電源１２１２などの構成ユニットを含むが、それらに限定されない。図１２に示される端末の構造は、端末を限定するものではなく、端末は、図示されるよりも多い又は少ない構成ユニットを含むことができ、又は特定の構成ユニットを組み合わせることができ、又は異なる構成ユニットの設定を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【０１９３】
ここで、プロセッサ１２１０は、第１ネットワークにアクセスするときに、第１ネットワークから第２ネットワークへの操作の関連情報を送信する。
【０１９４】
本開示の実施例において、１）第１ネットワークのフルカバレッジが実現されていない場合に、関連サービスの連続性をどのように実現するかという問題、２）第１ネットワークにおいて関連サービスを直接サポートしていないが、関連サービスのために確立した要求（例えばＰＤＵセッション確立要求、ＱｏＳフロー確立要求、サービス要求など）を受信した場合に、関連サービスをどのように実現するかという問題、３）関連サービスの連続性が第１ネットワークにおいて保証されない場合に、端末が第１ネットワークに常駐するか否かという問題が明確化されている。
【０１９５】
なお、本開示の実施例において、ラジオ周波数ユニット１２１は、情報の送受信又は通話中で信号の送受信に用いられ、具体的に、基地局からの下りデータを受信した後、プロセッサ１２１０による処理に供し、また、上りデータを基地局に送信する。一般に、ラジオ周波数ユニット１２１は、アンテナ、少なくとも１つの増幅器、トランシーバ、結合器、低雑音増幅器、デュプレクサなどを含むが、それらに限定されない。また、ラジオ周波数ユニット１２１は、無線通信システムを介してネットワークや他の機器と通信を行うこともできる。
【０１９６】
端末は、ネットワークモジュール１２２を介して、電子メールの送受信、ウェブページの閲覧、ストリーミングメディアへのアクセスをサポートするなど、無線ブロードバンドインターネットアクセスをユーザに提供する。
【０１９７】
音声出力ユニット１２３は、ラジオ周波数ユニット１２１やネットワークモジュール１２２が受信した音声データや、メモリ１２９に記憶された音声データを音声信号に変換して音声として出力することができる。また、音声出力ユニット１２３は、端末１２０が実行する特定の機能に関する音声（例えば、呼出信号着信音、メッセージ着信音等）を出力してもよい。音声出力ユニット１２３は、スピーカ、ブザー及びレシーバなどを含む。
【０１９８】
入力ユニット１２４は、音声や映像の信号を受信することに用いられる。入力ユニット１２４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１２４１と、マイク１２４２とを含む。処理された画像フレームは、表示ユニット１２６上に表示される。グラフィックスプロセッサ１２４１で処理された画像フレームは、メモリ１２９（又は他の記憶媒体）に記憶されるか、又はラジオ周波数ユニット１２１又はネットワークモジュール１２２を介して送信される。マイク１２４２は、音声を受信し、音声データに加工することができる。処理された音声データは、電話通話モードの場合、ラジオ周波数ユニット１２１を介して移動体通信基地局に送信可能な形式に変換して出力することができる。
【０１９９】
端末１２０は、光センサ、モーションセンサ及び他のセンサのような少なくとも１つのセンサ１２５を更に含む。具体的には、光センサは、周辺光センサ及び近接センサを含む。周辺光センサは、周辺光の明暗に応じて表示パネル１２６１の輝度を調節し、近接センサは、端末１２０が耳に移動したときに表示パネル１２６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ１２５は、指紋センサ、圧力センサ、虹彩センサ、分子センサ、ジャイロスコープ、気圧計、湿度計、温度計、赤外線センサなどを更に含むことができるが、ここでは枚挙しない。
【０２００】
表示ユニット１２６は、ユーザが入力した情報やユーザに提供した情報を表示するために用いられる。表示ユニット１２６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１２６１を含んでもよい。
【０２０１】
ユーザ入力ユニット１２７は、数字や文字情報の入力を受け付け、ユーザによる端末の設定や機能制御に関するキー信号の入力を行うことに用いられる。具体的に、ユーザ入力ユニット１２７は、タッチスクリーン１２７１と、その他の入力機器１２７２とを含む。タッチスクリーン１２７１は、タッチスクリーンとも呼ばれ、その上又は付近でのユーザのタッチ操作を取得可能である（たとえばユーザが指やスタイラスなどの任意の適切な物体や付属部材を用いたタッチスクリーン１２７１の上又はタッチスクリーン１２７１の付近での操作）。タッチスクリーン１２７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１２１０に送り、プロセッサ１２１０からの命令を受信して実行する。なお、タッチスクリーン１２７１は、抵抗膜式、静電容量式、赤外線、表面弾性波など、種々の方式を用いて実現することができる。ユーザ入力ユニット１２７は、タッチスクリーン１２７１の他に、他の入力機器１２７２を含んでもよい。具体的に、他の入力機器１２７２は、物理的なキーボード、機能キー（例えば、音量調節キー、スイッチキーなど）、トラックボール、マウス、レバーを含むが、ここでは枚挙しない。
【０２０２】
更に、タッチスクリーン１２７１は、表示パネル１２６１に重ねられる。タッチスクリーン１２７１は、その上又はその近くでタッチ操作を検出すると、プロセッサ１２１０に送信して、タッチイベントのタイプを決定する。次いで、プロセッサ１２１０は、タッチイベントのタイプに応じて、対応する視覚的出力を表示パネル１２６１に提供する。図１２では、タッチスクリーン１２７１と表示パネル１２６１は、独立した２つの部品として端末の入出力機能を実現するが、実施例によっては、タッチスクリーン１２７１と表示パネル１２６１を一体化して端末の入出力機能を実現することもでき、具体的にここでは限定しない。
【０２０３】
インターフェースユニット１２８は、外部装置と端末１２０とを接続するためのインターフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェースユニット１２８は、外部装置から入力（たとえば、データ情報、電力など）を受信し、受信した入力を端末１２０内の１つ以上のユニットに伝送するために使用されてもよく、又は端末１２０と外部装置との間でデータを伝送するために使用されてもよい。
【０２０４】
メモリ１２９は、ソフトウェアプログラム及び様々なデータを格納するために使用される。メモリ１２９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１２９は、快速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０２０５】
プロセッサ１２１０は、端末の制御センタであり、各種インターフェースや回線を用いて端末全体の各部を接続し、メモリ１２９に格納されたソフトウェアプログラム及び／又はモジュールを実行、メモリ１２９に格納されたデータを呼び出して端末の各種機能及び処理データを実行し、端末全体の監視を行う。プロセッサ１２１０は、１つ以上の処理ユニットを含んでもよい。選択可能に、プロセッサ１２１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ１２１０に統合されなくてもよいことが理解される。
【０２０６】
端末１２０は、各構成ユニットに電力を供給するためのバッテリのような電源１２１２を更に含んでもよい。選択可能に、電源１２１２は、電源管理システムを介してプロセッサ１２１０に論理的に接続されてもよく、電源管理システムを介して充電、放電、及び消費電力管理などを管理する機能を実現してもよい。
【０２０７】
また、端末１２０は、図示しない機能モジュールを更に含んでもよく、ここでの説明は省略する。
【０２０８】
選択可能に、本開示の実施例は、プロセッサと、メモリと、メモリに格納されて前記プロセッサで操作可能なコンピュータプログラムを含む第１ネットワークユニットを更に提供し、該コンピュータプログラムがプロセッサによって実行されると、上記サービス実現方法の実施例の各プロセスが実現され、且つ同じ技術効果を奏することもできるので、重複を避けるために、ここでは繰り返して記載しない。
【０２０９】
選択可能に、本開示の実施例は、プロセッサと、メモリと、メモリに格納されて前記プロセッサで操作可能なコンピュータプログラムを含む第２ネットワークユニットを更に提供し、該コンピュータプログラムがプロセッサによって実行されると、上記サービス実現方法の実施例の各プロセスが実現され、且つ同じ技術効果を奏することもできるので、重複を避けるために、ここでは繰り返して記載しない。
【０２１０】
選択可能に、本開示の実施例は、プロセッサと、メモリと、メモリに格納されて前記プロセッサで操作可能なコンピュータプログラムを含む端末を更に提供し、該コンピュータプログラムがプロセッサによって実行されると、上記サービス実現方法の実施例の各プロセスが実現され、且つ同じ技術効果を奏することもできるので、重複を避けるために、ここでは繰り返して記載しない。
【０２１１】
本開示の実施例は、本開示の実施例は、コンピュータプログラムが格納されているコンピュータ読み取り可能な記憶媒体を更に提供し、当該コンピュータプログラムがプロセッサによって実行されると、上記サービス実現方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなどである。
【０２１２】
なお、本明細書において、「含む」や「含有する」又はそれ以外のあらゆる変形用語は、非排他的に含むことを意味する。よって、一連のユニットを含むプロセス、方法、モノ又は装置は、それらのユニットを含むだけではなく、明確に列挙されていない他のユニットを更に含み、又はこのようなプロセス、方法、モノ又は装置に固有のユニットを更に含む。特に限定されない限り、「…を１つ含む」の表現によって限定されるユニットについて、当該ユニットを含むプロセス、方法、モノ又は装置に他の同一ユニットの存在を除外しない。
【０２１３】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバ、空調機又はネットワークデバイスなど）に実行させるいくつかの指令を含む。
【０２１４】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021520127.tif 000003
【図２】
2021520127.tif 000004
【図３】
2021520127.tif 000005
【図４】
2021520127.tif 000006
【図５】
2021520127.tif 000007
【図６】
2021520127.tif 000008
【図７】
2021520127.tif 000009
【図８】
2021520127.tif 000010
【図９】
2021520127.tif 000011
【図１０】
2021520127.tif 000012
【図１１】
2021520127.tif 000013
【図１２】
2021520127.tif 000014
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
第１ネットワークに位置する第１ネットワークユニットに応用されるサービス実現方法において、
第１ネットワークから第２ネットワークへの操作の関連情報を取得することと、
前記第１ネットワークから第２ネットワークへの操作の関連情報に基づいて、第１ネットワークから第２ネットワークへの操作の指示情報を決定し、及び／又は、関連サービスがサポートされるか否かの指示情報を決定することと、
を含む、サービス実現方法。
【請求項２】
前記第１ネットワークから第２ネットワークへの操作の関連情報は、
第１ネットワークにおいて、第１ネットワークと第２ネットワークの操作をサポートする関連インターフェースが設定されているか否か、
第１ネットワークにおいて設定された第１ネットワークから第２ネットワークへの操作の関連インターフェース方式、
端末の第２ネットワーク能力情報、
前記端末が第１ネットワークから第２ネットワークへの操作をサポートするか否かの情報、
第１ネットワークのネットワークユニットが第１ネットワークから第２ネットワークへの操作をサポートするか否かの情報、
前記端末が第１ネットワークから第２ネットワークへの操作を許可するか否か、
前記端末のネットワークプロトコルマルチメディアサブシステムＩＭＳセッション遷移番号、
前記端末のＩＭＳセッション遷移番号が存在するか否かの情報、
前記端末の移動局国際加入者識別子、
前記端末の移動局国際加入者識別子が存在するか否か、
前記端末の第１ネットワークにおける端末ＩＤが第２ネットワークにおける端末ＩＤにマッピング可能であるか否か、
前記端末の契約永久識別子ＳＵＰＩのタイプが国際移動加入者識別子であるか否か、
前記端末がシングル登録モードであるか、デュアル登録モードであるか、
前記端末がシングルラジオ又はデュアルラジオであるか否か、
前記端末が音声中心であるか、データ中心であるか、
通信事業者ポリシー、
通信事業者が、第１ネットワークから第２ネットワークへの操作によって前記関連サービスをサポートするように設定しているか否か、
通信事業者が、第１ネットワークから第２ネットワークへの操作によって前記関連サービスの連続性をサポートするように設定しているか否か、
無線条件、
前記端末の無線条件が第１ネットワークから第２ネットワークへの操作を満たすか否か、
前記関連サービスの情報、
進行中の前記関連サービスが存在するか否か、
前記関連サービスのための要求を受信したか否か、
の少なくとも１つを含む、請求項１に記載のサービス実現方法。
【請求項３】
前記第１ネットワークは、５Ｇネットワークであり、
前記第２ネットワークは、３Ｇネットワークであり、
前記関連サービスは、音声サービス、緊急サービスの１つを含み、
または、
前記第１ネットワークから第２ネットワークへの操作の指示情報は、
第１ネットワークから第２ネットワークへの操作が可能か否かの指示情報、
第１ネットワークから第２ネットワークへの回線交換ＣＳ切り替えが可能か否かの指示情報、
サービスの連続性が保持できるか否かの指示情報、
の少なくとも１つを含み、
または、
前記第１ネットワークユニットは、第１ネットワークから第２ネットワークへの操作の指示情報を、端末及び／又は無線アクセスネットワークのネットワークユニットに送信し、
または、
前記の前記第１ネットワークから第２ネットワークへの操作の関連情報に基づいて、関連サービスがサポートされるか否かの指示情報を決定することは、
第１ネットワークから第２ネットワークへの操作が可能か否か、第１ネットワークから第２ネットワークへのＣＳ切り替えが可能か否か、及び／又は、前記関連サービスの連続性が保証されるか否かの条件を満たすかを、前記第１ネットワークから第２ネットワークへの操作の関連情報に基づいて判断することと、
判断結果に基づいて、関連サービスがサポートされるか否かの指示情報を決定することと、
を含み、
または、
第１ネットワークから第２ネットワークへの操作が可能であること、
第１ネットワークから第２ネットワークへの切り替えが可能であること、
第１ネットワークから第２ネットワークへのＣＳ切り替えが可能であること、
前記関連サービスの連続性が保持できること、
の少なくとも１つの条件を満たした場合、関連サービスがサポートされるか否かの指示情報で、前記関連サービスをサポートすることを指示する、請求項１に記載のサービス実現方法。
【請求項４】
前記第１ネットワークと第２ネットワークの操作の関連インターフェース方式は、
第１ネットワークが、直接インターフェースを介して第２ネットワークと操作すること、
第１ネットワークが、第３ネットワークと相互操作し、第３ネットワークと第２ネットワークとの相互操作によって、第１ネットワークと第２ネットワークの操作を実現すること、
の少なくとも１つを含む、請求項２に記載のサービス実現方法。
【請求項５】
第１ネットワークに位置する第２ネットワークユニットに応用されるサービス実現方法において、
第１ネットワークから第２ネットワークへの操作の関連情報、第１ネットワークから第２ネットワークへの操作の指示情報の少なくとも１つを含む情報を取得することと、
取得した前記情報に基づいて、端末に対し第１ネットワークから第２ネットワークへの操作を行うことと、
を含む、サービス実現方法。
【請求項６】
前記第１ネットワークから第２ネットワークへの操作の関連情報は、
第１ネットワークにおいて、第１ネットワークと第２ネットワークの操作をサポートする関連インターフェースが設定されているか否か、
第１ネットワークにおいて設定された第１ネットワークから第２ネットワークへの操作の関連インターフェース方式、
前記端末の第２ネットワーク能力情報、
前記端末が第１ネットワークから第２ネットワークへの操作をサポートするか否かの情報、
第１ネットワークのネットワークユニットが第１ネットワークから第２ネットワークへの操作をサポートするか否かの情報、
前記端末が第１ネットワークから第２ネットワークへの操作を許可するか否か、
前記端末のＩＭＳセッション遷移番号、
端末のＩＭＳセッション遷移番号が存在するか否かの情報、
前記端末の移動局国際加入者識別子、
前記端末の移動局国際加入者識別子が存在するか否か、
前記端末の第１ネットワークにおける端末ＩＤが第２ネットワークにおける端末ＩＤにマッピング可能であるか否か、
前記端末の契約永久識別子ＳＵＰＩのタイプが国際移動加入者識別子であるか否か、
前記端末がシングル登録モードであるか、デュアル登録モードであるか、
前記端末がシングルラジオ又はデュアルラジオであるか否か、
前記端末が音声中心であるか、データ中心であるか、
通信事業者ポリシー、
通信事業者が、第１ネットワークから第２ネットワークへの操作によって前記関連サービスをサポートするように設定しているか否か、
通信事業者が、第１ネットワークから第２ネットワークへの操作によって前記関連サービスの連続性をサポートするように設定しているか否か、
無線条件、
前記端末の無線条件が第１ネットワークから第２ネットワークへの操作を満たすか否か、
前記関連サービスの情報、
進行中の前記関連サービスが存在するか否か、
前記関連サービスのための要求を受信したか否か、
の少なくとも１つを含む、請求項５に記載のサービス実現方法。
【請求項７】
前記第１ネットワークから第２ネットワークへの操作は、
第１ネットワークから第２ネットワークへの切り替えに関する操作、
第１ネットワークから第２ネットワークへのＣＳ切り替えに関する操作、
前記関連サービスの連続性の保持、
の少なくとも１つを含み、
前記第１ネットワークから第２ネットワークへの切り替えに関する操作は、
第１ネットワークから第２ネットワークへの切り替えプロセスを開始すること、
第１ネットワークから第２ネットワークへのＣＳ切り替えプロセスを開始すること、
第１ネットワークから第２ネットワークへのＣＳ切り替え指示を送信すること、
第２ネットワークへの端末のリダイレクト、
の少なくとも１つを含む、請求項５に記載のサービス実現方法。
【請求項８】
前記の取得した前記情報に基づいて、端末に対し第１ネットワークから第２ネットワークへの操作を行うことは、
前記情報が、第１ネットワークから第２ネットワークへの操作が可能であり、又は前記関連サービスの連続性が保持できることを示す場合、第１ネットワークから第２ネットワークへの操作を実行すること、
前記情報が、第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、前記関連サービスが存在し、第１ネットワークから切り替える切り替えイベントが発生し、且つ第１ネットワークから第２ネットワークへの操作が可能であり、又は前記関連サービスの連続性が保持できることを示す場合、第１ネットワークから第２ネットワークへの操作を実行すること、
前記情報が、前記関連サービスが存在し、第１ネットワークから切り替える切り替えイベントが発生し、且つ第１ネットワークから第２ネットワークへの操作が不可能であり、又は、前記関連サービスの連続性が保持できないことを示す場合、第１ネットワークから第２ネットワークへの操作を実行しないか、又は、前記端末の無線接続を解放すること、
前記情報が、第１ネットワークから第２ネットワークへのＣＳ切り替え指示の受信を示す場合、第１ネットワークから第２ネットワークへのＣＳ切り替え操作を開始すること、
前記情報が、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
前記情報が、前記関連サービスの第１ネットワークから切り替える切り替えイベントが発生せず、第１ネットワークから第２ネットワークへのＣＳ切り替え指示の受信、且つ前記関連サービスのＱｏＳフロー確立要求の受信を示す場合、第１ネットワークから第２ネットワークへのＣＳ切り替え操作を開始すること、
の少なくとも１つを含み、
または、
前記第１ネットワークは、５Ｇネットワークであり、
前記第２ネットワークは、３Ｇネットワークであり、
前記関連サービスは、音声サービスと、緊急サービスとの１つを含む、請求項５に記載のサービス実現方法。
【請求項９】
端末に応用されるサービス実現方法において、
第１ネットワークから第２ネットワークへの操作の指示情報を取得することと、
前記第１ネットワークから第２ネットワークへの操作の指示情報に基づいて、関連サービスの操作を決定することと、
を含む、サービス実現方法。
【請求項１０】
前記の第１ネットワークから第２ネットワークへの操作の指示情報を取得することの前には、
第１ネットワークにアクセスするときに、第１ネットワークから第２ネットワークへの操作の関連情報を送信することを更に含み、
または、
前記関連サービスの操作は、
アクセスドメインを選択すること、
第１ネットワークに常駐するか否かを決定すること、
前記関連サービスの要求を第１ネットワークにおいて開始又は終了するか否かを決定すること、
の少なくとも１つを含む、請求項９に記載のサービス実現方法。
【請求項１１】
前記指示情報が、第１ネットワークから第２ネットワークへの操作が可能であり、又は前記関連サービスの連続性が保持できることを示す場合、前記の前記関連サービスの操作を決定することは、
第１ネットワークにおいて前記関連サービスを開始又は終了すること、
前記関連サービスに関するプロトコルデータユニットＰＤＵセッションの確立を第１ネットワークにおいて開始すること、
前記関連サービスを指示するサービス要求を第１ネットワークにおいて開始すること、
第１ネットワークに常駐することを選択すること、
の少なくとも１つを含み、
前記指示情報が、第１ネットワークから第２ネットワークへの操作が不可能であり、又はサービスの連続性が保持できないことを示す場合、前記のサービスの操作を決定することは、
第１ネットワークにおいて前記関連サービスを開始又は終了しないこと、
前記関連サービスに関するＰＤＵセッションの確立を第１ネットワークにおいて開始しないこと、
前記関連サービスを指示するサービス要求を第１ネットワークにおいて開始しないこと、
第１ネットワークに常駐しないこと、
の少なくとも１つを含み、
または、
前記第１ネットワークは、５Ｇネットワークであり、
前記第２ネットワークは、３Ｇネットワークであり、
前記関連サービスは、音声サービスと、緊急サービスとの１つを含む、請求項９に記載のサービス実現方法。
【請求項１２】
第１ネットワークに位置する第１ネットワークユニットであって、
第１ネットワークから第２ネットワークへの操作の関連情報を取得する取得モジュールと、
前記第１ネットワークから第２ネットワークへの操作の関連情報に基づいて、第１ネットワークから第２ネットワークへの操作の指示情報を決定し、及び／又は、関連サービスがサポートされるか否かの指示情報を決定する決定モジュールと、
を含む、第１ネットワークユニット。
【請求項１３】
第１ネットワークに位置する第２ネットワークユニットであって、
第１ネットワークから第２ネットワークへの操作の関連情報、第１ネットワークから第２ネットワークへの操作の指示情報の少なくとも１つを含む情報を取得する取得モジュールと、
取得した前記情報に基づいて、端末に対し第１ネットワークから第２ネットワークへの操作を行う操作モジュールと、
を含む、第２ネットワークユニット。
【請求項１４】
第１ネットワークから第２ネットワークへの操作の指示情報を取得する取得モジュールと、
前記第１ネットワークから第２ネットワークへの操作の指示情報に基づいて、関連サービスの操作を決定する決定モジュールと、
を含む、端末。
【請求項１５】
プログラムが格納されているコンピュータ読み取り可能な記憶媒体であって、
前記プログラムがプロセッサによって実行されると、請求項１〜１１のいずれか一項に記載のサービス実現方法が実現される、コンピュータ読み取り可能な記憶媒体。
【国際調査報告】
2021520127.tif 000015
2021520127.tif 000016
2021520127.tif 000017
2021520127.tif 000018